(57)【要約】【課題】ジェットノズルから噴射された流速の大きい洗浄水でタンク給水をおこなう場合に、抵抗手段が貯水タンク内面に沿って流れる流速を低減させ、貯水される洗浄水の水面の変動を抑制することができる水洗大便器装置を提供する。【解決手段】本発明は、ジェットポンプ作用により洗浄水を便器本体に供給する水洗大便器装置であって、便器本体と、貯水タンクと、ジェットポンプユニット３２であって、スロート管３８と、ジェットノズル４０と、ジェットノズルから噴射される洗浄水の進行方向をスロート管の内部方向からスロート管の外部方向へと切り替える切替弁９６と、を備えたジェットポンプユニットと、を有し、貯水タンクの内面には、ジェットノズルから噴射され切替弁によりスロート管の外部方向へ向きを変えられた洗浄水が、貯水タンク内面に沿って流れる流速を低減する抵抗手段１３０が設けられていることを特徴とする。【選択図】図２１
2015227551.tif 000002
【特許請求の範囲】
【請求項１】
ジェットポンプ作用により洗浄水を便器本体に供給して洗浄する水洗大便器装置であって、
汚物を受けるボウル部と、このボウル部に洗浄水を導くための導水路とを備えた便器本体と、
この便器本体に供給する洗浄水を貯水する貯水タンクと、
少なくともその一部が上記貯水タンク内で水没した状態で配置されたジェットポンプユニットとを有し、このジェットポンプユニットは、その一端が上記便器本体の導水路の入口に接続され、その他端には吸引口が形成され、この吸引口が貯水タンク内の下部に位置するように配置されたスロート管と、このスロート管の吸引口に向けて洗浄水を噴射してジェットポンプ作用を誘発させるジェットノズルと、
上記ジェットノズルから噴射される洗浄水の進行方向を上記スロート管の内部方向から上記スロート管の外部方向へと切り替える切替弁と、を備え、
さらに、上記貯水タンクの内面には、上記ジェットノズルから噴射され上記切替弁により上記スロート管の外部方向へ向きを変えられた洗浄水が、上記貯水タンク内面に沿って流れる際、上記貯水タンク内面に沿って流れる流速を低減する抵抗手段が設けられていることを特徴とする水洗大便器装置。
【請求項２】
上記抵抗手段は、上記ジェットノズルから噴射され上記切替弁により上記スロート管の外部方向へ向きを変えられた洗浄水の主流が、上記貯水タンクの内面に衝突する衝突領域の下流側近傍に設けられている請求項１記載の水洗大便器装置。
【請求項３】
上記抵抗手段は、上記貯水タンクの底面から上方へ突出した底面リブ部を備える請求項２記載の水洗大便器装置。
【請求項４】
上記抵抗手段は、上記貯水タンクの内側側面から内側へ突出した側面リブ部を備える請求項２又は３記載の水洗大便器装置。
【請求項５】
平面視で、上記衝突領域を、上記貯水タンクの上記内側側面と上記底面リブ部とが取り囲むように配置されている請求項４記載の水洗大便器装置。
【請求項６】
平面視で、上記貯水タンクの上記内側側面と上記底面リブ部とが取り囲む領域において、上記貯水タンクの上記内側側面に対し、上記切替弁により導かれる洗浄水の主流が斜めの向きで衝突し、この衝突した洗浄水が斜めに向いた側の上記内側側面と上記底面リブ部とが取り囲む第一領域の面積が、他方側における上記内側側面と上記底面リブ部とが取り囲む第二領域の面積よりも小さく形成されている請求項５記載の水洗大便器装置。
【請求項７】
上記底面リブ部と上記側面リブ部との間に隙間が設けられている請求項４乃至６記載の水洗大便器装置。
【発明の詳細な説明】
【技術分野】
【０００１】
本発明は、水洗大便器装置に係り、特に、ジェットポンプ作用により洗浄水を便器本体に供給して洗浄する水洗大便器装置に関する。
【背景技術】
【０００２】
従来から、例えば、特許文献１に記載されているように、勢いの強い水を便器のボウル面に継続的に供給することができるジェットポンプ機構が設けられた水洗大便器装置が知られている。
この便器は水道管と直結したノズルから洗浄水を吐水して、タンク内の水をスロート内に巻き込み大流量の洗浄水を便器へ供給している。また、便器洗浄後のタンク給水の際には、切替弁がスロート内流路を遮断して、ノズルから供給された洗浄水を切替弁の表面にて跳ね返してタンク内に供給を行いタンク貯水を行っている。タンク内に貯水される洗浄水の水位が時間経過と共に上昇して、やがてフロートが給水弁を閉止し、ノズルからのタンク給水が終了するようになっている。
【先行技術文献】
【特許文献】
【０００３】
【特許文献１】特開２０１２−５２８９６０号公報
【発明の概要】
【発明が解決しようとする課題】
【０００４】
しかしながら、上述した特許文献１に記載されている従来の水洗大便器装置においては、水道管と直結したノズルによるタンク給水を行うとき、ジェットポンプ機構のノズルから供給される洗浄水は大流量であるために、切替弁からタンク内に跳ね返るようにして供給される水勢が比較的強くなっている。その跳ね返った水流がタンク内壁に衝突するとき、衝突した位置から水流が放射状に広がりタンク内壁に沿って流れるために、タンク内に一定の流速を持ったまとまった流れが発生し、このまとまった流れが水面に到達することで、タンク内に貯水されている洗浄水の水面を大きく変動させてしまう。これにより、水面の高さを検知するフロートによる満水水位における止水が正常に行われないという問題が生じている。さらに、タンク内に貯水されている洗浄水の水面が大きく変動され、タンク外へと洗浄水が飛び出してしまうといった問題が生じている。さらにまた、特に、ジェットポンプ機構のノズルが、タンク内壁に囲まれた比較的狭い領域に配置されている場合にこの問題が顕著に生じている。
【０００５】
そこで、本発明は、従来技術の要請された課題を解決するためになされたものであり、ジェットノズルから噴射された流速の大きい洗浄水でタンク給水をおこなう場合に、抵抗手段が貯水タンク内面に沿って流れる流速を低減させ、貯水される洗浄水の水面の変動を抑制することができる水洗大便器装置を提供することを目的としている。
【課題を解決するための手段】
【０００６】
上記の目的を達成するために、本発明は、ジェットポンプ作用により洗浄水を便器本体に供給して洗浄する水洗大便器装置であって、汚物を受けるボウル部と、このボウル部に洗浄水を導くための導水路とを備えた便器本体と、この便器本体に供給する洗浄水を貯水する貯水タンクと、少なくともその一部が上記貯水タンク内で水没した状態で配置されたジェットポンプユニットとを有し、このジェットポンプユニットは、その一端が便器本体の導水路の入口に接続され、その他端には吸引口が形成され、この吸引口が貯水タンク内の下部に位置するように配置されたスロート管と、このスロート管の吸引口に向けて洗浄水を噴射してジェットポンプ作用を誘発させるジェットノズルと、ジェットノズルから噴射される洗浄水の進行方向をスロート管の内部方向からスロート管の外部方向へと切り替える切替弁と、を備え、さらに、貯水タンクの内面には、ジェットノズルから噴射され切替弁によりスロート管の外部方向へ向きを変えられた洗浄水が、貯水タンク内面に沿って流れる際、貯水タンク内面に沿って流れる流速を低減する抵抗手段が設けられていることを特徴としている。
このように構成された本発明においては、ジェットノズルから噴射された流速の大きい洗浄水でタンク給水をおこなう場合に、抵抗手段が貯水タンク内面に沿って流れる流速を低減させ、貯水される洗浄水の水面の変動を抑制することができる。よって、満水水位まで給水するタンク給水の量を安定させることができ、さらに、洗浄水が貯水タンク外へ飛び出すことを防ぐことができる。
【０００７】
本発明において、好ましくは、抵抗手段は、ジェットノズルから噴射され切替弁によりスロート管の外部方向へ向きを変えられた洗浄水の主流が、貯水タンクの内面に衝突する衝突領域の下流側近傍に設けられている。
このように構成された本発明においては、ジェットノズルから噴射された流速の大きい洗浄水でタンク給水をおこなう場合に、抵抗手段が、主流が上記貯水タンクの内面に衝突する衝突領域の下流側近傍において、タンク内面に沿って広がる洗浄水の流速を比較的早いタイミングで低減することができ、水面に向かって上昇する洗浄水の勢いを弱くすることができる。
【０００８】
本発明において、好ましくは、抵抗手段は、貯水タンクの底面から上方へ突出した底面リブ部を備えている。
このように構成された本発明においては、底面リブ部が貯水タンクの底面に沿って流れる洗浄水の流速を低減することができる。
【０００９】
本発明は、好ましくは、抵抗手段は、貯水タンクの内側側面から内側へ突出した側面リブ部を備えている。
このように構成された本発明においては、側面リブ部が貯水タンクの内側側面に沿って流れる洗浄水の流速を低減することができる。
【００１０】
本発明は、好ましくは、平面視で、衝突領域を、貯水タンクの内側側面と底面リブ部とが取り囲むように配置されている。
このように構成された本発明においては、貯水タンクの内側側面と底面リブ部とが、貯水タンクの底面に沿って放射状に広がろうとする流れの流速を全体的に低減することができる。
【００１１】
本発明は、好ましくは、平面視で、貯水タンクの内側側面と底面リブ部とが取り囲む領域において、貯水タンクの内側側面に対し、切替弁により導かれる洗浄水の主流が斜めの向きで衝突し、この衝突した洗浄水が斜めに向いた側の内側側面と底面リブ部とが取り囲む第一領域の面積が、他方側における内側側面と底面リブ部とが取り囲む第二領域の面積よりも小さく形成されている。
このように構成された本発明においては、貯水タンクの内側側面に対し、洗浄水の主流が斜めに衝突する場合において、第一領域において、第二領域と比べ衝突領域から近くに貯水タンクの内側側面と底面リブ部とが位置しているため、貯水タンクの底面に沿って流れる洗浄水の流速が比較的大きく低減され、また、第二領域において、第一領域と比べ衝突領域から遠くに貯水タンクの内側側面と底面リブ部とが位置しているため、貯水タンクの底面に沿って流れる洗浄水の流速が第一領域におけるよりも小さく低減される。従って、衝突領域を中央として貯水タンクの底面に沿って広がろうとする流れの流速を全体的に均等になるように低減することができる。
【００１２】
本発明は、好ましくは、底面リブ部と上記側面リブ部との間に隙間が設けられている。
このように構成された本発明においては、底面リブ部に沿って流れる流れと、側面リブ部に沿って流れる流れとが衝突することを抑制することができ、さらに、底面リブ部に沿って流れる流れと、側面リブ部に沿って流れる流れとが合流して流れの勢いの強い上昇流を形成することを抑制することができる。
【発明の効果】
【００１３】
本発明の水洗大便器装置によれば、ジェットノズルから噴射された流速の大きい洗浄水でタンク給水をおこなう場合に、抵抗手段が貯水タンク内面に沿って流れる流速を低減させ、貯水される洗浄水の水面の変動を抑制することができる。
【図面の簡単な説明】
【００１４】
【図１】本発明の一実施形態による水洗大便器装置を示す平面図である。
【図２】図１のＩＩ−ＩＩ線に沿って見た断面図である。
【図３】本発明の一実施形態による水洗大便器装置の洗浄水タンク装置の内部構造を示す平面図である。
【図４】本発明の一実施形態による水洗大便器装置の洗浄水タンク装置の内部構造を示す正面図である。
【図５】本発明の一実施形態による水洗大便器装置の洗浄水タンク装置の内部構造を示す背面図である。
【図６】図３のＶＩ−ＶＩ線に沿って見た断面図である。
【図７】本発明の一実施形態による水洗大便器装置の洗浄水タンク装置の内部構造の概念図である。
【図８】本発明の一実施形態による水洗大便器装置の洗浄水タンク装置の内部構造及びジェットポンプユニット内の流路の断面を示す概略断面図である。
【図９】本発明の一実施形態による水洗大便器装置のジェットポンプユニットの一部を示す平面図である。
【図１０】本発明の一実施形態による水洗大便器装置のジェットポンプユニットの一部の中央断面を示す正面図である。
【図１１】本発明の一実施形態による水洗大便器装置のジェットポンプユニットの切替手段を示す側面図である。
【図１２】本発明の一実施形態による水洗大便器装置のジェットポンプユニットの切替手段を上面から見た平面図である。
【図１３】図１３（ａ）は本発明の一実施形態による水洗大便器装置においてフロート及び連結手段と連結された切替手段の切替弁がジェットノズルの正面より外側にある状態を示す図であり、図１３（ｂ）は本発明の一実施形態による水洗大便器装置においてフロート及び連結手段と連結された切替手段の切替弁がジェットノズルの外側から正面に移動している途中の状態を示す図であり、図１３（ｃ）は本発明の一実施形態による水洗大便器装置においてフロート及び連結手段と連結された切替手段の切替弁がジェットノズルの正面に移動した状態を示す図である。
【図１４】本発明の一実施形態による水洗大便器装置において、ジェットポンプユニットの一部を、補給水吐水位置切替手段のロック部材の高さにおける水平断面により切断した状態で示す平面図である。
【図１５】本発明の一実施形態による水洗大便器装置において、オーバーフロー管に取付けられた補給水吐水位置切替手段を示す側面図である。
【図１６】本発明の一実施形態による水洗大便器装置において、ジェット流路の途中に設けられた分岐部の流路を示す断面図である。
【図１７】本発明の一実施形態による水洗大便器装置において、補給水吐水部の断面図である。
【図１８】図１７のＸＶＩＩＩ−ＸＶＩＩＩ線に沿って見た断面図である。
【図１９】本発明の一実施形態による水洗大便器装置の洗浄水タンク装置において、補給水吐水位置切替手段が補給水無しモードに設定されている状態を示す平面図である。
【図２０】便器本体に供給される洗浄水の水量と、第２内側底面から小タンク底面までの高さとの関係を示す図である。
【図２１】本発明の一実施形態による水洗大便器装置において、貯水タンクの第１内側底面及び第１内側側面に設けられたリブ部を示す部分拡大斜視図である。
【図２２】本発明の一実施形態による水洗大便器装置において、抵抗手段が設けられている場合に切替弁から貯水タンクの第１内側側面に衝突する洗浄水の流れと、従来の水洗大便器装置において抵抗手段が設けられていない場合における切替弁から貯水タンクの第１内側側面に衝突する洗浄水の流れとをそれぞれ示す概念図である。
【図２３】本発明の一実施形態による水洗大便器装置において、抵抗手段が設けられている場合に切替弁から貯水タンクの第１内側側面に衝突する洗浄水の流れと、従来の水洗大便器装置において抵抗手段が設けられていない場合における切替弁から貯水タンクの第１内側側面に衝突する洗浄水の流れとをそれぞれ示す概念図である。
【発明を実施するための形態】
【００１５】
以下、添付図面を参照して本発明の一実施形態による水洗大便器装置を説明する。
まず、図１及び図２により、本発明の一実施形態による水洗大便器装置の基本構造を説明する。
図１は、本発明の実施形態による水洗大便器装置を示す平面図であり、図２は、図１のＩＩ−ＩＩ線に沿って見た断面図である。
【００１６】
図１及び図２に示すように、本発明の一実施形態による水洗大便器装置１は、便器本体２と、この便器本体２に洗浄水を供給する洗浄水タンク装置４を備えている。水洗大便器装置１は、例えば、３．８リットル乃至５．２リットルの洗浄水で洗浄する、節水型の洗い落とし式の水洗大便器である。
便器本体２は、その前方側に設けられたボウル部６と、ボウル部６の上縁に形成されたリム部８と、このリム部８の内周に形成された棚部１０と、を備えている。
また、便器本体２のボウル部６の底部には、トラップ排水路１２の入口１２ａが開口し、このトラップ排水路１２は、上方に延びる上昇管１２ｂと、下方に延びる下降管１２ｃを備えている。このトラップ排水路１２の形状から分かるように、本実施形態による水洗大便器装置１は、高さ方向の落差により汚物を排出する洗い落とし式便器である。
なお、本実施形態においては、洗い落とし式便器に適用した形態について説明するが、このような形態に限定されず、サイホン作用を利用してボウル部内の汚物を吸い込んで排水トラップ管路から一気に外部に排出する、いわゆる、サイホン式便器の形態等、他の水洗大便器の形態についても適用可能である。
【００１７】
つぎに、便器本体２は、洗浄水タンク装置４の排水口１４から排出される洗浄水が流入する導水路１６と、棚部１０の前方から見て左側中央に形成された第１リム吐水口１８と、前方から見て右側後方に形成された第２リム吐水口２０とを備えている。
また、導水路１６は、下流に向かって第１通水路２２と第２通水路２４に分岐し、導水路１６の洗浄水が第１通水路２２を経て第１リム吐水口１８に到達する一方、第２通水路２４を経て第２リム吐水口２０に到達し、洗浄水が、それぞれ、第１リム吐水口１８及び第２リム吐水口２０から吐水され、ボウル部６を洗浄し、汚物をトラップ排水路１２から排出するようになっている。
【００１８】
つぎに、図３〜図７により、洗浄水タンク装置４について詳細に説明する。
図３は、本発明の一実施形態による水洗大便器装置の洗浄水タンク装置の内部構造を示す平面図であり、図４は、本発明の一実施形態による水洗大便器装置の洗浄水タンク装置の内部構造を示す正面図であり、図５は、本発明の一実施形態による水洗大便器装置の洗浄水タンク装置の内部構造を示す背面図であり、図６は、図３のＶＩ−ＶＩ線に沿って見た断面図である。さらに、図７は、本発明の一実施形態による水洗大便器装置の洗浄水タンク装置を示す概念図であり、図８は、本発明の一実施形態による水洗大便器装置の洗浄水タンク装置においてジェットポンプユニット内の流路の断面を示す概略断面図である。
なお、図７において、便宜上、図３及び図４に示す洗浄水タンク装置のジェットポンプユニットの内部構造の一部を省略すると共に、各構造のいくつかの配置についても、図３乃至図６に示されたものと異なる配置に描かれている。
【００１９】
図３〜図７に示すように、洗浄水タンク装置４は、平面視において左右方向に長い扁平形状に形成されて洗浄水を貯水する貯水タンク２６と、この貯水タンク２６に洗浄水を供給する給水管路２８と、この給水管路２８の下流端に設けられ便器本体２に洗浄水を供給するためのジェットポンプユニット３２と、使用者が手動操作により洗浄水の給水を行うための手動レバー３４を備えている。
貯水タンク２６は、その高さがその底面部の長手方向（幅方向）の長さより短い扁平形タンクであり、節水化の観点及び/又は意匠性の観点から比較的小型の貯水タンクとして形成されることができる。
給水管路２８の上流端には、外部の水道管等の給水源（図示せず）から供給される洗浄水を止水するための止水栓３６が設けられている。この止水栓３６は、水洗大便器装置１の据付時などに給水源（図示せず）からの給水を止水するためのものであり、通常使用時は開状態に保持されている。
【００２０】
ジェットポンプユニット３２は、下方から斜め上方に延びる上昇管部３８ａとこの上昇管部３８ａの上端付近から下方に延びる下降管部３８ｂとを備えた概ね逆Ｖ字形状に形成されたスロート管３８と、このスロート管３８に向けて洗浄水を噴射してジェットポンプ作用を誘発させるジェットノズル４０と、給水管路２８に接続され、ジェットノズル４０への洗浄水の供給を給止水する給水弁装置３０と、ジェットノズル４０から噴射される洗浄水の進行方向をスロート管３８の内部方向からスロート管３８の外部方向へと切り替える切替手段６６と、貯水タンク内に貯水された洗浄水の水位に応じ上下動するフロート６８と、フロート６８と切替手段６６とを連結する連結手段７０と、フロート６８を連結手段７０に連結する取付け高さを上下方向に調整する調整機構７２と、この給水弁装置３０とジェットノズル４０の間を連結するジェット流路７４と、ジェット流路７４の途中から分岐し、ジェットノズル４０を経由せずに、便器本体２へ洗浄水を供給できる補給水流路７６と、スロート管３８の下降管部３８ｂに隣接して上下方向に延びるオーバーフロー管８０と、を備えている。
【００２１】
スロート管３８の上昇管部３８ａの上流端には吸引口３８ｃが形成され、この吸引口３８ｃが貯水タンク２６内の下部に位置するようになっており、スロート管３８の下降管部３８ｂの下流端が便器本体２の導水路１６に連通する排水口１４に接続されている。
また、スロート管３８の吸引口３８ｃに対向するように、ジェットノズル４０が配置され、スロート管３８の吸引口３８ｃとジェットノズル４０は、常時、貯水タンク２６内で水没した状態となっている。
【００２２】
ジェットポンプユニット３２は、貯水タンク２６内において、スロート管３８の吸引口３８ｃが右側領域に配置され、スロート管３８の下降管部３８ｂが貯水タンクの左右方向中央領域に配置されている。別実施形態においては、ジェットポンプユニット３２は、貯水タンク２６内において、スロート管３８の吸引口３８ｃが左側領域に配置され、スロート管３８の下降管部３８ｂが貯水タンクの左右方向中央領域に配置されていてもよい。
【００２３】
ジェットポンプユニット３２は、ジェットノズル４０からスロート管３８の吸引口３８ｃに向けて高速の洗浄水を噴射し、このとき、ジェットノズル４０に近いスロート管３８内の吸引口３８ｃ近傍の空間が負圧となり、この負圧によりジェットポンプ作用（エジェクタ効果）を誘発させることにより、貯水タンク２６内の近傍の洗浄水を吸引し、この洗浄水とジェットノズル４０から噴出される洗浄水とが一緒になり、スロート管３８内を流れ、排水口１４を経て、便器本体２の導水路１６に供給されるようになっている。
すなわち、本明細書中に記載されている「ジェットポンプ作用」という用語については、ジェットノズルからスロート管の吸引口に向けて噴射される勢いのある洗浄水の流れ自体が、ポンプ等の他の機械要素に依存することなく、直接的にスロート管の吸引口の近傍等の周囲の洗浄水を引き込むような負圧を形成し、この負圧を利用してスロート管内に吸い込んだ貯水タンク内の洗浄水を便器本体側へ圧送する作用を意味している。
【００２４】
給水管路２８又はジェット流路７４には、上述した給水弁装置３０以外に、給水弁装置３０の上流側に定流量弁４２が、下流側に真空破壊弁４４が設けられている。この定流量弁４２は、給水弁装置３０に供給される洗浄水を定流量とするためのものであり、真空破壊弁４４は、外部から空気を吸入して真空破壊弁４４からジェットノズル４０までのジェット流路７４内が負圧にならないようにするためのものである。
【００２５】
給水弁装置３０は、その上流側が給水管路２８に接続され、給水管路２８から給水され、さらに、その下流側がジェット流路７４に接続され、主弁体４８が開弁するとき、ジェット流路に一定流量の洗浄水を継続して供給してジェット吐水する（吐水状態となる）ようになっている。
給水弁装置３０は、パイロット式ダイアフラム弁である主弁体４８と、この主弁体が着座する主弁座５０と、内部の圧力により主弁体４８を主弁座５０に対して移動させる圧力室５２とを備え、主弁体４８が、主弁座５０に着座して止水する止水状態と主弁座５０から離間して給水する給水状態とを切り換えるようになっている。
圧力室５２には、この圧力室５２の圧力を開放する第一穴５４及び第二穴５６と、上述した手動レバー３４における使用者の手動操作と連動して第一穴５４を開閉する第一パイロット弁５８と、貯水タンク２６内の洗浄水の水位に伴い上下動する給水フロート６０の上下動により第二穴５６を開閉する第二パイロット弁６２が設けられている。
【００２６】
また、主弁体４８には、ブリード穴（図示せず）が設けられており、止水状態のとき、ブリード穴（図示せず）により給水管路２８の一次側流路Ａと圧力室５２の内部とが連通するようになっている。ここで、第一穴５４は、その開口面積が第二穴５６の開口面積よりも大きく形成されている。また、第一穴５４は、第二穴５６よりも、図７に示すように、上方位置に形成されている。
【００２７】
第一パイロット弁５８は、駆動軸１２４により手動レバー３４に接続され、使用者の手動レバー３４の手動操作により、第一穴５４を開閉するようになっている。ここで、手動レバー３４は、図４において、手前側（一方向）に回動操作させた場合には後述する大洗浄がなされ、奥側（他方向）に回動操作させた場合には小洗浄がなされるようになっている。
【００２８】
この給水弁装置３０は、通常は止水状態であり、止水状態では、第一穴５４及び第二穴５６は共に塞がれており、且つ、給水管路２８の一次側流路Ａは圧力室５２とブリード穴（図示せず）を通じて連通しているため、一次側流路Ａと圧力室５２の水圧は同じ水圧（一次側流路圧力α）、また二次側流路Ｂは大気開放となり、主弁体４８に水圧が作用する面積の方が一次側流路Ａの面積よりも大であるので、主弁体４８は主弁座５０に押付けられ閉じられている。
【００２９】
給水弁装置３０において、第一穴５４及び/又は第二穴５６が、第一パイロット弁５８及び/又は第二パイロット弁６２により開放されると、圧力室５２から洗浄水が流出し、圧力室５２内の圧力が低下し、主弁体４８が主弁座５０から離れるように移動し、開弁し、吐水状態となるようになっている。
【００３０】
給水弁装置３０において、第一穴５４及び第二穴５６が第一パイロット弁５８及び第二パイロット弁６２により閉じられると、再度圧力室５２の圧力が一次側流路圧力αとなり、主弁体４８が主弁座５０に向けて移動し、最終的に閉弁された状態（止水状態）となる。
なお、このとき、一次側流路Ａの洗浄水が、圧力室５２内へブリード穴から少しずつ注入されるため、第一穴５４及び第二穴５６を塞いでから、所定時間遅れて、主弁体４８が閉弁状態（止水状態）となるようになっている。
【００３１】
つぎに、図９〜図１３により、切替手段６６、フロート６８及び連結手段７０について詳細に説明する。
図９は本発明の一実施形態による水洗大便器装置のジェットポンプユニットの一部を示す平面図であり、図１０は本発明の一実施形態による水洗大便器装置のジェットポンプユニットの一部の中央断面を示す正面図であり、図１１は本発明の一実施形態による水洗大便器装置のジェットポンプユニットの切替手段を示す側面図であり、図１２は本発明の一実施形態による水洗大便器装置のジェットポンプユニットの切替手段を上面から見た平面図であり、図１３（ａ）は本発明の一実施形態による水洗大便器装置においてフロート及び連結手段と連結された切替手段の切替弁がジェットノズルの正面より外側にある状態を示す図であり、図１３（ｂ）は本発明の一実施形態による水洗大便器装置においてフロート及び連結手段と連結された切替手段の切替弁がジェットノズルの外側から正面に移動している途中の状態を示す図であり、図１３（ｃ）は本発明の一実施形態による水洗大便器装置においてフロート及び連結手段と連結された切替手段の切替弁がジェットノズルの正面に移動した状態を示す図である。
【００３２】
切替手段６６は、スロート管３８の下端近傍に配置されている。切替手段６６は、ジェットノズル４０から噴射された洗浄水の進行方向を切り替える切替弁９６と、この切替弁９６と接続される回動アーム９８とを備えている。切替弁９６及び回動アーム９８がこの回動アーム９８に設けられた第一回動軸１００を中心として回転自在に構成されている。
切替弁９６は、配管の屈曲部のような円弧形状の曲り面を形成する湾曲部９６ａと、半円形の流路断面を形成しながら直線的に延びる流出部９６ｂとを備えている。切替弁９６が作動状態において湾曲部９６ａがジェットノズル４０の正面前方に覆い被さるように配置され、ジェットノズル４０から噴射された洗浄水が湾曲部９６ａから流出部９６ｂに導かれるようになっている。また別の言い方によれば、切替弁９６が作動状態において、湾曲部９６ａがジェットノズル４０から噴射される洗浄水を遮断するように配置され、洗浄水が湾曲部９６ａによって跳ね返されるように流出部９６ｂに向かって流れるようになっている。
【００３３】
回動アーム９８は、切替弁９６の手前側に固定された第１回動アーム９８ａと、切替弁の奥側に固定された第２回動アーム９８ｂを有している。第１回動アーム９８ａ及び第２回動アーム９８ｂは、それぞれ板状の部材であり、第一回動軸１００を中心に切替弁９６を支持している支持アーム９８ｃと、第１回動アーム９８ａ及び第２回動アーム９８ｂを後述する第一継手１０２と連結させて第一回動軸１００を中心に回転させることができるようになっている継手アーム９８ｄとを有している。継手アーム９８ｄは、後述するリンク機構の一部を構成している。
継手アーム９８ｄには、水位が上昇してフロート６８が上昇される際に、継手アーム９８ｄの回転領域を規定するストッパー部９８ｅが形成されている。
第一回動軸１００は、ジェットノズル４０の外側に取付けられ、回動アーム９８を回転可能に支持している。
【００３４】
フロート６８は、連結手段７０に連結され、連結手段７０が回動アーム９８と連結されているので、切替手段６６を動作させるようになっている。フロート６８は、貯水タンク２６内の水位により上下動するため、水位が低くなったときは、フロート６８も下降し、それにより、切替弁９６がスロート管３８内の流路を塞ぐようになっている。また、水位が高くなったときは、フロート６８も上昇し、それにより、切替弁９６がスロート管３８内の流路を開放するようになっている。
フロート６８は、スロート管３８の下端近傍に配置されている。フロート６８は、図１０に示すように、その断面が四角形状になるように形成され、初期状態（洗浄前の待機状態）においてその上面６８ａがほぼ水平になるように配置され、その側面６８ｂがほぼ垂直になるように配置されている。
また、フロート６８は、図１３（ｂ）及び（ｃ）に示すように、洗浄中の状態においても、初期状態におけるフロート６８の姿勢からほぼ一定の姿勢のまま保持された状態で移動される。すなわち、フロート６８は、その上面６８ａがほぼ水平を保つように移動され、さらに、その側面６８ｂがほぼ垂直を保つように移動されている。
【００３５】
連結手段７０は、回動アーム９８の継手アーム９８ｄと、この継手アーム９８ｄと回転自在に連結され且つフロート６８が連結される第一継手１０２と、この第一継手と回転自在に連結され且つスロート管とも回転自在に連結されている第二継手１０４と、を有するリンク機構１０６を備えている。
【００３６】
リンク機構１０６は、回動アーム９８の第一回動軸１００と、回動アーム９８の継手アーム９８ｄと第一継手１０２とを回転自在に連結する第二回動軸１０５と、第一継手７０ａと第二継手１０４とを回転自在に連結する第三回動軸１０８と、第二継手１０４とスロート管３８とを回転自在に連結する第四回動軸１１０とを有している。
これらの第一回動軸１００、第二回動軸１０５、第三回動軸１０８及び第四回動軸１１０は、第一回動軸１００と第二回動軸１０５とを結んだ仮想的な直線である仮想直線Ａ１の長さＬ１と第三回動軸１０８と第四回動軸１１０とを結んだ仮想直線Ａ２の長さＬ２とがほぼ同じ長さとなるように配置され、さらに、第二回動軸１０５と第三回動軸１０８とを結んだ仮想直線Ａ３の長さＬ３と第四回動軸１１０と第一回動軸１００とを結んだ仮想直線Ａ４の長さＬ４とがほぼ同じ長さとなるように配置されている。
【００３７】
このような構成により、リンク機構１０６は、フロート６８が配置される第一継手１０２が移動される際に、仮想直線Ａ１と仮想直線Ａ２とがほぼ平行な関係を保ちながら移動され、仮想直線Ａ３と仮想直線Ａ４とがほぼ平行な関係を保ちながら移動され、仮想直線Ａ１乃至Ａ４が仮想的な平行四辺形の各辺を形成するような位置関係を維持しながら互いに移動されることができる。ここで、第一回動軸１００はジェットノズル４０に固定され、第四回動軸１１０はスロート管３８に固定されているので、仮想直線Ａ４は位置が固定されている。リンク機構１０６は、フロート６８が配置される第一継手１０２（第一継手１０２は仮想直線Ａ３と平行になるように形成されている）が、第四回動軸１１０と第一回動軸１００とを結んだ仮想直線Ａ４とほぼ平行な関係を保ちながら移動するように構成されている。リンク機構１０６を採用することにより、継手アーム９８ｄの回転を第一継手１０２の上下方向の移動に変換できる。
第一継手１０２は、継手アーム９８ｄ及び第二継手１０４の傾きの変化によりほぼ上下方向に移動され、貯水タンク２６の幅方向への移動（可動範囲）が抑制されている。第一継手１０２及びフロート６８等がほぼ上下方向に移動することができるので、ほぼジェットノズル４０上の領域内で移動することが可能となる、又は、幅方向の比較的狭いスペースに配置されることが可能となっている。さらに、フロート６８等の可動領域を減少させることができ、貯水タンク２６の幅方向の大きさを減少させることができる。
【００３８】
調整機構７２は、フロート６８の取付け高さを上下方向に調整することができる。フロート６８の取付け高さを調整することにより、フロート６８が水位と連動して動作を開始し、切替弁９６が作動されるタイミングが変更されるので、ジェットノズル４０から便器本体２へ供給される洗浄水の量を変更することができる。調整機構７２がフロート６８の取付け高さを調整することにより止水水位ＷＬ１（ＤＷＬ）の高さを調整でき、便器本体２に供給する洗浄水の量を調整することができる。
調整機構７２は、フロート６８を取付け且つ第一継手１０２に回転可能に支持される螺子部材１１２を備え、この螺子部材１１２を回転させることにより、螺子部材１１２に取付けられたフロート６８の取付け高さを上下方向に調整及び/又は微調整することができる。
また、調整機構７２は、螺子部材１１２が螺子の回転によりほぼ垂直な方向に上下移動されることにより調整されるので、螺子部材１１２に対してほぼ水平に取付けられているフロート６８をほぼ水平の一定の姿勢に維持した状態で、フロート６８の取付け高さを上下方向に調整させることが可能である。
【００３９】
つぎに、図５、図８、図１４〜図１９により、ジェット流路７４、補給水流路７６について詳細に説明する。
図１４は本発明の一実施形態による水洗大便器装置において、ジェットポンプユニットの一部を、補給水吐水位置切替手段のロック部材の高さにおける水平断面により切断した状態で示す平面図であり、図１５は本発明の一実施形態による水洗大便器装置において、オーバーフロー管に取付けられた補給水吐水位置切替手段を示す側面図であり、図１６は本発明の一実施形態による水洗大便器装置において、ジェット流路の途中に設けられた分岐部の流路を示す断面図であり、図１７は本発明の一実施形態による水洗大便器装置において、補給水吐水部の断面図であり、図１８は図１７のＸＶＩＩＩ−ＸＶＩＩＩ線に沿って見た断面図であり、図１９は本発明の一実施形態による水洗大便器装置の洗浄水タンク装置において、補給水吐水位置切替手段が補給水無しモードに設定されている状態を示す平面図である。
【００４０】
ジェット流路７４は、貯水タンク２６内において、貯水タンク２６の左側端部近傍の後方側に設けられた給水弁装置３０から貯水タンク２６の右側端部近傍の前方側に設けられたジェットノズル４０まで延びている。ジェット流路７４は、給水弁装置３０から下降するように延びた後、貯水タンク２６の第２内側底面２６ｂと平行にほぼ水平に延びている水平部分７４ａを形成し、分岐部８２までほぼ水平な流路を形成し、ジェット流路７４は、分岐部８２を通過した後、第１内側底面２６ａに向かってさらに下降し、貯水タンク２６の最下部である第１内側底面２６ａ近傍にて折り返すようにしてジェットノズル４０に至る流路を形成している。
【００４１】
補給水流路７６は、ジェットノズル４０とは別に洗浄水を補給する流路を形成する補給水流路部８４と、ジェット流路７４の途中に設けられた分岐部８２と、補給水吐水位置切替機構８６とを有している。
補給水流路部８４は、その上流端が分岐部８２に接続され、また、その下流端部が、オーバーフロー管８０の上方近傍で補給水吐水位置切替機構８６に接続されている。後述する補給水吐水位置切替機構８６の補給水吐水部８８が補給水流路部８４の吐水部を形成している。補給水流路部８４は、洗浄水がジェット流路７４を流れる場合には常時ジェット流路７４から分岐された洗浄水を流すようになっている。
【００４２】
分岐部８２は、Ｔ字形状の流路を形成し、ほぼ水平に延びる横流路８２ａがジェット流路７４の水平部分７４ａの一部を形成し、分岐部８２のほぼ中央から垂直上方に分岐する縦流路８２ｂが補給水流路部８４と接続される。従って、分岐部８２は、補給水流路部８４を上方からジェット流路７４に接続するように形成されている。
分岐部８２は、ジェット流路７４において、ジェットノズル４０の位置からの所定距離上流側の位置に配置されている。ジェットノズル４０の位置からの所定距離は、洗浄水が分岐部８２により補給水流路部８４に分岐される場合に、ジェット流路７４の下流のジェットノズル４０から噴出される洗浄水の流量（瞬間流量を含む）をほぼ一定に保つことができる距離である。従って、分岐部８２は、ジェット流路７４において、ジェットノズル４０の位置から少なくとも所定距離上流側の位置に配置されていればよい。例えば、分岐部８２は、第２内側底面２６ｂのジェットノズル側端部近傍に配置されることができ、又は貯水タンク２６の幅方向中央付近に配置されていてもよい。また、分岐部８２は、図１５に示すように、自身の下部が貯水タンク２６の第２内側底面２６ｂに固定されている。
本実施形態においては、分岐部８２は、ジェット流路７４と、補給水流路部８４とは別部材として形成されているが、分岐部８２は、ジェット流路７４と補給水流路部８４と一体で形成されていてもよい。
【００４３】
補給水吐水位置切替機構８６は、補給水流路部８４の下端で接続され、補給水流路部８４から流入する洗浄水を吐水する補給水吐水部８８と、補給水吐水部８８を支持し、補給水吐水部８８の吐水位置を切替えるように回転できる回動軸部９０と、回動軸部９０を内側に受け入れ、且つ回転可能に支持する支持部９２と、回動軸部９０を支持部９２上で規定の向きに係止するロック部材９４と、を備えている。
このような構成により、補給水吐水位置切替機構８６は、補給水吐水部８８の位置を、オーバーフロー管８０の直上の位置（補給水有りモードの位置）と、オーバーフロー管８０外の直上の位置（補給水無しモード）とに切替えることができる。このような構成により、便器本体２の種類によらず、便器本体２に補給水の供給が必要とされる場合には、補給水吐水位置切替機構８６が補給水有りモードにされ、便器本体２に補給水の供給が必要とされない場合には、補給水吐水位置切替機構８６が補給水無しモードにされることができる。
【００４４】
補給水吐水部８８は、回動軸部９０の上部においてほぼ水平に延びる横管路８８ａと、横管路８８ａから屈曲して下方に向かう縦管路８８ｂと、を有している。この横管路８８ａは、補給水流路部８４が接続される横管路８８ａの入口部から回転軸部９０に対して反対側に向かって延び、回転軸部９０の上部からオーバーフロー管８０の直上の位置まで到達できる長さにわたって横方向に延びている。よって、補給水流路部８４から供給される補給水は、縦管路８８ｂの位置から下方に向かって吐水される。このように補給水吐水部８８は、補給水流路部８４の吐水部を構成するようになっている。縦管路８８ｂは、空中で開口されているので、洗浄水が補給水吐水部８８の縦管路８８ｂにおいて、自身の下流側に他の流路が設けられる場合に起因した流れの抵抗を受ける影響を防ぐことができる。
【００４５】
回転軸部９０は、補給水吐水部８８の横管路８８ａに固定される軸部９０ａと、軸部９０ａから半径方向外側に突出する第１凸部９０ｂと、第１凸部９０ｂの角度位置と異なる角度位置において軸部９０ａから半径方向外側に突出する第２凸部９０ｃと、第１凸部９０ｂの下部から周方向に延びる第１止め部９０ｄと、第２凸部９０ｃの下部から周方向に延びる第２止め部９０ｅとを備えている。第１凸部９０ｂ及び第２凸部９０ｃは、軸部９０ａから外側に延びる薄い板状に形成されている。軸部９０ａから延びる第１凸部９０ｂ及び第２凸部９０ｃの半径方向の長さは、後述する支持部開口部９２ａ内に収まる長さにされている。第１止め部９０ｄは、後述する突出凹部９４ａが第１凸部９０ｂと係合する場合に回転軸部９０が上方向に離脱しないように係合するようになっている。第２止め部９０ｅは、後述する突出凹部９４ａが第２凸部９０ｃと係合する場合に回転軸部９０が上方向に離脱しないように係合するようになっている。
【００４６】
支持部９２は、支持部９２の内側に形成される円形の支持部開口部９２ａ内に回転軸部９０の軸部９０ａ及び第１凸部９０ｂ及び第２凸部９０ｃを受け入れることができるようになっている。支持部９２は、自身の下部がオーバーフロー管８０に取付けられて固定されている。支持部９２はオーバーフロー管８０と一体に構成されていてもよく、オーバーフロー管８０の一部として構成されていてもよい。
さらに、支持部９２は、その頂部よりもわずかに下がった位置において環状部の第１側面９２ｂと、第２側面９２ｃと、第３側面９２ｄとを備えている。第１側面９２ｂには、側面開口９２ｅが形成されている。この側面開口９２ｅは、後述するロック部材９４の突出凹部９４ａが挿入されることができるようになっている。第２側面９２ｃには、側面がくぼんでいる第２側面凹部９２ｆと、後述するロック部材９４と係合する第２側面係合部９２ｇとが形成されている。第３側面９２ｄには、側面がくぼんでいる第３側面凹部９２ｈと、後述するロック部材９４と係合する第３側面係合部９２ｉとが形成されている。
【００４７】
ロック部材９４は、コの字形状に形成され、コの字の内側中央からコの字の内側に向かって突出する突出凹部９４ａと、支持部９２及び支持部９２内に位置する回転軸部９０をともに内側に抱えるように配置される第１腕部９４ｂ及び第２腕部９４ｃとを備えている。
突出凹部９４ａは、二股のフォーク形状を形成し、二股の中間部分に溝部９４ｄが形成されている。突出凹部９４ａの溝部９４ｄに、第１凸部９０ｂ又は第２凸部９０ｃが嵌合する場合に、突出凹部９４ａが第１凸部９０ｂ又は第２凸部９０ｃを挟み込むように支持し、回転軸部９０を動かないように係止させることができる。
第１腕部９４ｂには、第１腕部９４ｂの先端から内側に屈曲して突出するように形成された第１つめ部９４ｈと、第１腕部９４ｂの先端よりもやや内側の位置からコの字の内側に向かって緩やかに隆起した第１隆起部９４ｅとが形成されている。
第２腕部９４ｃには、第１腕部９４ｂと同様に、第２腕部９４ｃの先端から内側に屈曲して突出するように形成された第２つめ部９４ｆと、第２腕部９４ｃの先端よりもやや内側の位置からコの字の内側に向かって緩やかに隆起した第２隆起部９４ｇとが形成されている。
【００４８】
ロック部材９４は、施工者等の使用者がロック部材９４を引き出した状態のアンロック状態とロック部材９４を押し込んだ状態のロック状態とを調整できるようになっている。
ロック部材９４は、回転軸部９０が自由に回転動作できるアンロック状態（例えば、後述する補給水有りモードと補給水無しモードとを切り替える際のアンロック状態）においては、突出凹部９４ａが支持部開口部９２ａの内側からその外側にわずかに引き出された位置に移動された状態となり、第１つめ部９４ｈが第２側面係合部９２ｇと係合し、第２つめ部９４ｆが第３側面係合部９２ｉと係合し、第１隆起部９４ｅが第２側面凹部９２ｆと係合し、第２隆起部９４ｇが第３側面凹部９２ｈと係合した状態となっており、ロック部材９４が支持部９２と係合した状態が維持され、ロック部材９４が支持部９２（すなわちオーバーフロー管）から外れて脱落することが防止する脱落防止部を構成している。このように、ロック部材９４はアンロック状態においても支持部９２上に安定して係止している状態となっている。
一方で、ロック部材９４がアンロック状態となっているとき、ロック部材９４と、回転軸部９０とは係合していないので、回転軸部９０はロック部材９４に対して自由に回転することができ、さらに回転軸部９０を支持部９２から上方に移動して取り外すことも可能となっている。
【００４９】
ロック部材９４は、回転軸部９０が回転しないように係止されているロック状態においては、図１４に示すように、突出凹部９４ａが側面開口９２ｅ内に挿入されて支持部開口部９２ａの内側まで突出され、第１隆起部９４ｅが第２側面係合部９２ｇと係合し、第２隆起部９４ｇが第３側面係合部９２ｉと係合した状態となっており、ロック部材９４が支持部９２と係合している状態となっている。さらに、側面開口９２ｅ内に挿入された突出凹部９４ａが回転軸部９０の第１凸部９０ｂ又は第２凸部９０ｃの何れかと嵌合した状態となるので、ロック部材９４が回転軸部９０とも係合している状態となっている。従って、ロック部材９４が、回転軸部９０が回転しないように係止することができる。
【００５０】
上述のような構成により、補給水流路７６は、支持部９２の下部がオーバーフロー管８０に取付けられ、ロック部材９４がアンロック状態のときに、回転軸部９０が支持部９２内で回転され、補給水吐水部８８の縦管路８８ｂがオーバーフロー管８０の真上に位置され、オーバーフロー管８０内に向けられて、補給水吐水部８８から吐水された洗浄水がオーバーフロー管８０を介して便器本体２に供給される補給水有りモードと、ロック部材がアンロック状態のときに、回転軸部９０が支持部９２内で回転され、補給水吐水部８８の縦管路８８ｂがオーバーフロー管８０の真上より外側に位置され、オーバーフロー管８０外に向けられて、補給水吐水部８８から吐水された洗浄水がオーバーフロー管８０外の貯水タンク２６内に向けて供給される補給水無しモードとを切替可能に形成されている。
【００５１】
回転軸部９０の回転と補給水吐水部８８の縦管路８８ｂの位置の関係をより具体的に説明する。
突出凹部９４ａが回転軸部９０の第２凸部９０ｃと嵌合している状態では、補給水吐水部８８の縦管路８８ｂがオーバーフロー管８０の真上に位置している。突出凹部９４ａが回転軸部９０の第１凸部９０ｂと嵌合している状態では、回転軸部９０が突出凹部９４ａに対して第２凸部９０ｃから第１凸部９０ｂを嵌合できるような位置まで回転されるとともに、補給水吐水部８８も回転された状態となっているので、補給水吐水部８８の縦管路８８ｂがオーバーフロー管８０の真上から外れた外側に位置されるようになっている。
【００５２】
オーバーフロー管８０は、貯水タンク２６内の水位が止水水位よりも上昇してオーバーフロー管８０の上端開口部（補給水口）８０ａの位置を上回る場合において、この上回った洗浄水が、オーバーフロー管８０内に流入し、排水口１４と連通しているオーバーフロー管８０の下端の流出口８０ｂから便器本体２の導水路１６に補給水として供給されることができるように形成されている。また、オーバーフロー管８０は、後述する補給水有りモードの場合において、上端開口部８０ａの上方で開口される補給水吐水部８８から吐水される洗浄水が、オーバーフロー管８０内に流入し、排水口１４と連通しているオーバーフロー管８０の下端の流出口８０ｂから便器本体２の導水路１６に補給水として供給されるように形成されている。
なお、本実施形態においては、オーバーフロー管８０はジェットポンプユニット３２のスロート管３８と一体に形成されているが、他の実施形態において、オーバーフロー管８０はジェットポンプユニット３２と独立して貯水タンク２６内に別個に設けられていてもよい。
【００５３】
次に、再び、図３乃至図８を参照して、貯水タンク内の詳細な構造について説明する。
さらに、貯水タンク２６内には、大洗浄及び小洗浄に必要な洗浄水量を切り換えるための大小洗浄切替機構１１４が設けられている。この大小洗浄切替機構１１４は、貯水タンク２６内をジェットノズル４０及びスロート管３８の吸引口３８ｃを取り囲む外側空間領域Ｒ１とこの外側空間領域Ｒ１よりも空間が小さい小空間領域Ｒ２との二つの空間領域Ｒ１，Ｒ２に区画する区画壁１１６を備えている。
より具体的に説明すると、この区画壁１１６は、上下方向に延びる壁面を形成し、その上方が開放されて前後方向及び左右方向の四方から取り囲んだカップ形状の小タンク１１８を形成している。この小タンク１１８は、貯水タンク２６内の前方且つ左寄りに配置されており、小タンク１１８の内部には、小空間領域Ｒ２が平面視において貯水タンク２６の左右方向に長い扁平形状となるように形成されている。
したがって、ジェットノズル４０及びスロート管３８の吸引口３８ｃは、貯水タンク２６を正面側から見て小タンク１１８及び小空間領域Ｒ２の外部右側に形成される外側空間領域Ｒ１内の前方且つ右寄りの下部に配置されている（図３〜図５参照）。
なお、本実施形態では、小タンク１１８が貯水タンク２６内の前方且つ左寄りに配置されると共に、ジェットノズル４０及びスロート管３８の吸引口３８ｃが、貯水タンク２６を正面側から見て小タンク１１８及び小空間領域Ｒ２の外部右側に形成される外側空間領域Ｒ１内の前方且つ右寄りに配置されている形態について説明するが、このような形態に限られず、ジェットノズル４０及びスロート管３８の吸引口３８ｃが小タンク１１８及び小空間領域Ｒ２に対して左右何れか一方に形成される外側空間領域Ｒ１内に配置されていればよい。
【００５４】
なお、本実施形態においては、四方が区画壁１１６によってカップ形状に形成された小タンク１１８を貯水タンク２６内に配置することにより、貯水タンク２６内に小空間領域Ｒ２を形成するような形態について説明するが、このような形態に限られず、区画壁１１６を貯水タンク２６内の一部に一体的に形成することにより、貯水タンク２６内に小空間領域Ｒ２を形成するようにしてもよい。
【００５５】
また、小タンク１１８の後方側の区画壁（後側区画壁）１１８ａには、前後方向に貫くようにほぼ左右方向に長い長方形形状の開口部１１８ｂが形成されている。この開口部１１８ｂには、大小切替弁１２０が開閉可能に設けられており、この大小切替弁１２０が開口部１１８ｂを開閉することにより、ジェットポンプユニット３２を通じて便器本体２へ供給する洗浄水量を変更することができ、大洗浄と小洗浄とを切り替えることができるようになっている。
【００５６】
大小洗浄切替機構１１４の大小切替弁１２０は、鎖１２２により駆動軸１２４に接続されており、大洗浄を行うために、使用者により手動レバー３４が一方向に回動操作された場合には、駆動軸１２４が回転しても、鎖１２２はたるむだけで、大小切替弁１２０は開いた状態のままとなり、大小洗浄切替機構１１４が大洗浄状態となるようになっている。
一方、小洗浄を行うために、使用者により手動レバー３４が他方向に回動操作された場合には、鎖１２２により大小切替弁１２０が引き上げられ、大小切替弁１２０が開口部１１８ｂを閉じた状態となり、大小洗浄切替機構１１４が小洗浄状態となるようになっている。
【００５７】
小タンク１１８の底には、小タンク１１８の底の表面を形成する内側底面１１８ｃと、内側底面１１８ｃの裏側において底部の裏面となる下向き面を形成し、且つ横方向に延びる外側底面１１８ｄとが形成されている。また、小タンク１１８の外側底面１１８ｄは、貯水タンク２６の第２内側底面２６ｂに支えリブ１２６によって固定されている。
【００５８】
小タンク１１８の外側底面１１８ｄは、ほぼ水平に延びる平板状の底面を形成している。本実施形態においては、図５及び図６に示すように、小タンク１１８の外側底面１１８ｄが貯水タンク２６の第２内側底面２６ｂに対して所定間隔をあけた上方に配置されている。
外側底面１１８ｄは、貯水タンク２６の左側端部近傍に位置する給水弁装置側端部１１８ｅから、貯水タンク２６の中央より右側領域に位置する段部１１８ｆまで貯水タンク２６の左右方向に長く形成されている第１外側底面１１８ｇと、段部１１８ｆにおいて第１外側底面１１８ｇから一段切り上がった高さにおいて、スロート管３８の吸引口３８ｃ近傍に位置する吸引口側端部１１８ｈまで延びる第２外側底面１１８ｉとを形成している。
【００５９】
つぎに、図４、図６及び図２０により、下部流水路１２８について詳細に説明する。
図２０は便器本体に供給される洗浄水の水量と、第２内側底面から小タンク底面までの高さとの関係を示す図である。
小タンク１１８の外側底面１１８ｄと貯水タンク２６の第２内側底面２６ｂとの間、すなわち、第１外側底面１１８ｇと第２内側底面２６ｂとの間、及び第２外側底面１１８ｉと第２内側底面２６ｂとの間に下部流水路１２８が形成されている。このように、下部流水路１２８は、小タンク１１８の外側底面全体の下方領域に形成されている。
貯水タンク２６内においては、中央近傍にスロート管３８の下降管部３８ｂ及び小タンク１１８等が配置されているため、これらが障害物のように作用して、洗浄水が左右方向に流れる際に抵抗を受けやすくなっている。
この下部流水路１２８は、小タンク１１８の下方に形成された導水路を形成し、この下部流水路１２８においては、貯水タンク２６の左右方向の流れの抵抗となる障害物が低減されているので、洗浄水がジェットノズルによりスロート管の吸引口に吸引されているときにおいて洗浄水を貯水タンク２６の左側から右側側方のジェットノズル４０及びスロート管３８の吸引口３８ｃに向かって滑らかに流すことができる。下部流水路１２８は、さらなる別部材によらず、小タンク１１８と貯水タンク２６とにより、比較的簡単に形成される。
【００６０】
なお、本実施形態においては、下部流水路１２８が外側底面１１８ｄの下方に設けられているが、別実施形態として、例えば、小タンクの下方部分の一部において、下部流水路が小タンクの側面から小タンクの内側に向かって横方向からコの字形状に凹むように形成されていてもよい。小タンクの側面が一部変形されることにより下部流水路の空間を形成していてもよい。この場合においては、小タンクの側面から凹むように形成された流水路が、貯水タンクの左右方向に延びるように形成されることができる。
【００６１】
本実施形態においては、また、外側底面１１８ｄは、ジェットノズル４０及びスロート管３８の吸引口３８ｃ側近傍（小タンク１１８の右側端部近傍）において、第１外側底面１１８ｇより高い高さの第２外側底面１１８ｉを形成し、下部流水路１２８の流路を拡大した拡大流路部１２８ａを形成している。拡大流路部１２８ａは、ジェットノズル４０及びスロート管３８の吸引口３８ｃ側近傍において流路を拡大することにより、吸引口３８ｃに向かう洗浄水の流れをより円滑に流すことができる。
【００６２】
貯水タンク２６内において、ジェットノズル４０及びスロート管３８の吸引口３８ｃは小タンク１１８に対して左右何れか一方の領域に配置され、且つ、便器本体２の導水路１６の入口に接続されるスロート管３８の下降管部３８ｂが貯水タンク２６の左右方向中央領域に配置され、下部流水路１２８は、少なくとも貯水タンク２６の左右方向中央領域近傍からジェットノズル４０及び吸引口３８ｃ側の吸引口側端部１１８ｈに亘って形成されている。
【００６３】
大小洗浄切替機構１１４が大洗浄状態となる場合、開口部１１８ｂが開とされ、小タンク１１８内の小空間領域Ｒ２から貯水タンク２６内外側空間領域Ｒ１に向かって流出した洗浄水が、下方領域の下部流水路１２８に流入し、下部流水路１２８を流れて、スロート管３８の吸引口３８ｃに向かって円滑に流れることができる。
また、大小洗浄切替機構１１４が小洗浄状態となる場合には、開口部１１８ｂが閉とされ、洗浄水は小タンク１１８内の小空間領域Ｒ２から貯水タンク２６内外側空間領域Ｒ１に向かって流出しない。このとき、貯水タンク２６内外側空間領域Ｒ１に貯水された洗浄水が、下方領域の下部流水路１２８に流入し、下部流水路１２８を流れて、スロート管３８の吸引口３８ｃに向かって円滑に流れることができる。
【００６４】
次に、図４及び図２０により、第１外側底面１１８ｇの第２内側底面２６ｂからの高さについて説明する。
本実施形態においては、第１外側底面１１８ｇが第２内側底面２６ｂから所定高さに配置されることにより、洗浄水が下部流水路１２８をスムーズに流れることができ、洗浄水の下降時に貯水タンク２６内の水面の幅方向の水位差が抑制されることができる。
仮に、洗浄水の下降時に貯水タンク２６内の水面の幅方向の水位差が生じる場合、フロート６８側の水面が早期に下降するため、フロート６８が下降し、切替弁９６が早期に上昇する。従って便器本体２に供給される洗浄水の水量が減少することになるという問題が生じる。
このような問題を解決するために、本発明においては、下部流水路１２８を形成しない場合における洗浄時の水位降下中に、ジェットノズル４０及びスロート管３８の吸引口３８ｃ近傍の領域上の水面の高さとその他の領域上の水面の高さとの間に生じる上下方向の水位差ｈ１（図４において本実施形態の下部流水路１２８を形成している場合における洗浄時の水位降下中における水面がほぼ水平である状態を仮想線Ｃ１により示し、図４において下部流水路１２８を形成しない場合における洗浄時の水位降下中における水面の傾きがある状態を仮想線Ｃ２により例示している）と、下部流水路１２８を形成した場合における下部流水路１２８の第１外側底面１１８ｇの第２内側底面２６ｂからの高さｈ２とが、ほぼ同じ高さにされている。この第１外側底面１１８ｇの第２内側底面２６ｂからの上下方向の高さは、５ｍｍ〜２０ｍｍの高さに形成されている。
【００６５】
図２０において、貯水タンク２６内からジェットポンプ作用により排出されて便器本体２に供給される洗浄水の水量と、第２内側底面２６ｂから小タンク１１８までの高さとの関係を測定した結果Ｒ１を示している。便器本体２に供給される洗浄水の水量が、小タンク１１８の高さが０ｍｍの場合よりも、小タンク１１８の高さが５ｍｍ〜２０ｍｍの範囲において、より増大されている。小タンク１１８の下方に下部流水路１２８が形成され、水面の幅方向の水位差が抑制されるとき、フロート６８が予定より早く下降して切替弁９６が早期に上昇し、便器本体２に供給される洗浄水の水量が減ることを抑制できるためである。さらに、図２０においては、仮に貯水タンク２６の大きさや設定等を変更した場合に、貯水タンク２６内からジェットポンプ作用により排出されて便器本体２に供給される洗浄水の水量と、第２内側底面２６ｂから小タンク１１８までの高さとの関係を測定した結果Ｒ２を示している。このように、貯水タンク２６の大きさや設定等を変更した場合においても、ほとんどのタンクにおいて、Ｒ１とＲ２で囲まれた斜線で示すような範囲により、便器本体２に供給される洗浄水の水量が変化するため、小タンク１１８の高さが５ｍｍ〜２０ｍｍの範囲において、便器本体２に供給される洗浄水の水量が減ることを抑制できていることがわかる。
【００６６】
なお、図４及び図７に示すように、貯水タンク２６内の水位ＷＬは、以下の位置となる。
まず、水位ＷＬは、図４及び図７に示すように、大洗浄が終了したときの貯水タンク２６内の領域Ｒ１，Ｒ２の双方の最低水位である死水水位ＷＬ１を示している。また、この水位ＷＬ１は、図４及び図７に示すように、小洗浄が終了したときの貯水タンク２６内の領域Ｒ１のみの死水水位ＤＷＬにもなっており、これらの死水水位ＤＷＬである水位ＷＬ１は、区画壁１１６の開口部１１８ｂの上端よりも下方に位置している。
つぎに、図４及び図７に示すように、水位ＷＬ２は、小洗浄が終了したときの貯水タンク２６内の領域Ｒ２の水位を示している。
また、水位ＷＬ３は、貯水タンク２６内に貯水される洗浄水の初期状態における止水水位であり、且つ大洗浄又は小洗浄後に給水弁装置３０により貯水タンク２６内に洗浄水が給水されその後給水が停止される満水水位である。
【００６７】
つぎに、図４、図２１〜図２３を参照して、抵抗手段について詳細に説明する。
図２１は本発明の一実施形態による水洗大便器装置において、貯水タンクの第１内側底面及び第１内側側面に設けられたリブ部を示す部分拡大斜視図であり、図２２は本発明の一実施形態による水洗大便器装置において、抵抗手段が設けられている場合に切替弁から貯水タンクの第１内側側面に衝突した洗浄水の流れと、従来の水洗大便器装置において抵抗手段が設けられていない場合における切替弁から貯水タンクの第１内側側面に衝突した洗浄水の流れとをそれぞれ示す概念図であり、図２３は本発明の一実施形態による水洗大便器装置において、抵抗手段が設けられている場合に切替弁から貯水タンクの第１内側側面に衝突した洗浄水の流れと、従来の水洗大便器装置において抵抗手段が設けられていない場合における切替弁から貯水タンクの第１内側側面に衝突した洗浄水の流れとをそれぞれ示す概念図である。
【００６８】
貯水タンク２６の第１内側側面２６ｃには、ジェットノズル４０から噴射され切替弁９６によりスロート管３８の外部方向へ向きを変えられた洗浄水が、貯水タンク２６内面に沿って流れる流速を低減する抵抗手段１３０が設けられている。抵抗手段１３０は、貯水タンク２６内壁面に沿った流れの一部の向きを変更させ及び/又は分散させるように形成されていてもよい。
この抵抗手段１３０は、ジェットノズル４０から噴射され切替弁９６によりスロート管３８の外部方向へ向きを変えられた洗浄水の主流が、貯水タンク２６の第１内側側面２６ｃに衝突する衝突領域Ｄ１の下流側近傍に設けられている。
抵抗手段１３０は、内面に沿って流れる洗浄水の流れの流速を低減させることができるような形状を形成し、例えば、凸形状のリブの他、四角形状以外の突起部、壁、段差等によって形成されてもよい。
【００６９】
抵抗手段１３０は、貯水タンク２６の第１内側底面２６ａから所定高さまで上方へ突出した底面リブ部１３０ａと、貯水タンク２６の第１内側側面２６ｃから所定高さまで内側へ突出した側面リブ部１３０ｂとを備えている。
底面リブ部１３０ａは、第１内側側面２６ｃの下端の中央よりやや後方側の位置に接続される一端から所定距離にわたって幅方向に延びる第１底面リブ１３０ｃと、この幅方向部の他端から屈曲して前後方向に向かって斜めに延びる第２底面リブ１３０ｄとを備えている。この第２底面リブ１３０ｄの他端は、後述する第２側面リブ１３０ｇとの間に隙間１３０ｅを形成するように、第２側面リブ１３０ｇに至る手前において終端している。
側面リブ部１３０ｂは、第１内側側面２６ｃの下端の中央よりやや後方側の位置から衝突領域Ｄ１の高さより上方まで立ち上がるように延びている第１側面リブ１３０ｆと、第２内側側面２６ｄにおける第１内側側面２６ｃから所定長さだけ幅方向側の位置において第２内側側面２６ｄの下端から衝突領域Ｄ１の高さより上方まで立ち上がるように延びている第２側面リブ１３０ｇと、を備えている。
【００７０】
図２１及び図２２に示すように、平面視では、衝突領域Ｄ１を取り囲むように、貯水タンク２６の第１内側側面２６ｃと、第２内側側面２６ｄと、第１底面リブ１３０ｃと、第２底面リブ１３０ｄとが配置されて囲み領域Ｄ２を形成している。従って、衝突領域Ｄ１に衝突して第１内側側面２６ｃに沿って主に下方向きに広がる洗浄水の流れが、矢印Ｆ１１に示すように、底面の囲み領域Ｄ２内に流入し、第１底面リブ１３０ｃ及び/又は第２底面リブ１３０ｄに衝突し、流速が減少され及び/又は流れの向きが底面から内方向きに変化させられる。
また、貯水タンク２６の右側側方から内側を見た場合（第１内側側面２６ｃをジェットノズル４０側から見た場合）には、衝突領域Ｄ１の左右に、第１側面リブ１３０ｆと、第２側面リブ１３０ｇと、が配置されている。従って、衝突領域Ｄ１に衝突して第１内側側面２６ｃに沿って後方向きに広がる洗浄水の流れが、第１側面リブ１３０ｆに衝突し、壁面に沿った流れが剥離され、流速が減少され及び/又は流れの向きが第１内側側面２６ｃから内方向きに変化させられる。また、衝突領域Ｄ１に衝突して第１内側側面２６ｃから第２内側側面２６ｄに沿って幅方向向きに広がる洗浄水の流れが、第２側面リブ１３０ｇに衝突し、壁面に沿った流れが剥離され、流速が減少され及び/又は流れの向きが第２内側側面２６ｄから内方向きに変化させられる。
【００７１】
さらに、図２２に示すように、平面視で、囲み領域Ｄ２において、第１内側側面２６ｃに対し、切替弁９６により導かれる洗浄水の主流が斜めの向きで入射して衝突する場合に、衝突領域Ｄ１を中央として、斜めの向きで衝突した洗浄水が主に向かう一方側における第１内側側面２６ｃと、第１底面リブ１３０ｃと、第２底面リブ１３０ｄとが取り囲む第一領域Ｄ３の面積が、他方側における第１内側側面２６ｃと、第２内側側面２６ｄと、第２底面リブ１３０ｄとが取り囲む第二領域Ｄ４の面積よりも小さく形成されている。
また、第２底面リブ１３０ｄは、上記斜めの向きで衝突した洗浄水が主に向かう一方側において第１内側側面２６ｃにより近くなるように配置されている。
【００７２】
図４、図７〜図２３により、本実施形態による水洗大便器装置１による大洗浄時の動作を説明する。
まず、図４は、大洗浄開始前の洗浄水タンク装置４を示している。この状態において、貯水タンク２６内の水位は通常状態の水位ＷＬ３であり、給水弁装置３０において、第一穴５４及び第二穴５６は何れも閉じられており、主弁体４８は主弁座５０上に着座し、止水状態となっている。
【００７３】
大洗浄が開始されるとき、使用者が手動レバー３４を一方向に手動操作すると手動レバー３４に接続された駆動軸１２４が回転し、給水弁装置３０の第一パイロット弁５８が作動して、第一穴５４が開く。このとき、第二穴５６は閉じられたままの状態である。駆動軸１２４が回転しても、鎖１２２はたるむだけで、大小切替弁１２０は小タンク１１８の開口部１１８ｂを開いた状態のままであり、大小洗浄切替機構１１４が大洗浄状態となる。
【００７４】
第一穴５４が開くと、上述したように、給水弁装置３０の主弁体４８が主弁座５０から離間して給水する給水状態となる。外部の給水源から供給される洗浄水は、止水栓３６、定流量弁４２、給水弁装置３０を経て、給水管路２８の下流端のジェットノズル４０に到達し、ジェットノズル４０からスロート管３８の吸引口３８ｃに向けて洗浄水が噴射される。スロート管３８の吸引口３８ｃ付近は負圧となるので、貯水タンク２６内に貯水された洗浄水もスロート管３８内に吸引され、洗浄水タンク装置４により外部から供給される洗浄水と貯水タンク２６内の洗浄水が一緒になってスロート管３８内を流れ、便器本体２に供給され、ボウル部６の洗浄が開始される。
【００７５】
図４、図７及び図１３（ａ）に示すように、給水弁装置３０からジェット流路７４への洗浄水の供給が開始された直後においては、貯水タンク２６内に洗浄水が未だ高い水位ＷＬ３近くまで貯水された状態であるので、フロート６８は、上昇された状態であり、切替弁９６は待機状態（切替弁９６が下降されジェットノズル４０の前方側を開放している状態）となっている。フロート６８は、フロート６８の取付けられた螺子部材１１２及び第一継手１０２とともに上昇されている。すなわち、仮想直線Ａ１乃至Ａ４により形成される仮想的な平行四辺形において、仮想直線Ａ３の辺が仮想直線Ａ４の辺に対して上昇された状態となっている。
フロート６８が上昇された上昇状態にあるとき、第一継手１０２が引き上げられ、回動アーム９８の継手アーム９８ｄが引き上げられるので、回動アーム９８は第一回動軸１００を中心として回転され、切替弁９６が下降されている。切替弁９６の湾曲部９６ａのノズル側端部９６ｃがジェットノズル４０の正面より外側に配置され、ジェットノズル４０から噴射される洗浄水は、矢印Ｆ１に示すように、スロート管３８内の流路に向かって流れるようになっている。ジェットノズル４０から洗浄水が噴射されることにより、貯水タンク２６内に貯水された周囲の洗浄水が、矢印Ｆ２に示すように、スロート管３８内に吸引されて流れるようになっている。
【００７６】
図３、図５及び図１６に示すように、給水弁装置３０からジェット流路７４への洗浄水の供給が開始されると、洗浄水が、矢印Ｂ１に示すように、ジェット流路７４からジェットノズル４０に向かって流れるとともに、矢印Ｂ２に示すように、ジェット流路７４の途中に設けられた分岐部８２から補給水流路部８４に流れる。すなわち、給水弁装置３０がジェットノズル４０に洗浄水を供給している間は、常時給水弁装置３０が補給水流路７６に洗浄水を供給することになる。給水弁装置３０はほぼ一定の流量の洗浄水を継続して供給することから、下流側の補給水流路部８４及びジェットノズル４０の流量の合計もほぼ一定に保たれて安定している。このように、ジェットノズル４０から洗浄水が噴出されている間において、洗浄水が常に安定して補給水流路部８４にも流れているので、洗浄の途中において補給水吐水部８８から吐水される洗浄水量と、ジェットノズル４０から噴出される洗浄水量との割合が急激に変化することを防ぎ、補給水流路７６から便器本体２（又は貯水タンク２６内）へ供給される洗浄水の流量が継続してほぼ一定とされるとともに、ジェットノズル４０から噴出される洗浄水の流量もほぼ一定とされている。言い換えれば、給水弁装置３０から供給された洗浄水が補給水流路７６とジェットノズル４０へと分岐して流れる分岐率（分岐される洗浄水の流量の割合）が継続してほぼ一定とされている。
ここでいう「流量がほぼ一定」とは、吐水開始直後又は止水完了直前において、流量が徐々に増加又は減少している間は除き、流量がほぼ一定となっていることを意味する。また、流量が継続して完全に一定である必要はなく、給水弁装置３０から供給される洗浄水の給水圧の変化又はジェットノズル４０の下流側の状態により受ける影響等で僅かに変動するものも含まれる。
【００７７】
分岐部８２から上方に補給水流路部８４が分岐するので、補給水流路部８４が下方に分岐する場合と異なり、補給水流路部８４が下方に分岐する場合に洗浄水が補給水流路部８４に落ちるように流れ込みやすくなることにより分岐部８２近傍のジェット流路７４を流れる洗浄水の流れに抵抗を生じさせる或いは流れが乱れることを抑制することができる。すなわち、矢印Ｂ３に示すように、洗浄水の流れの乱れを抑制しながら、補給水流路部８４に分岐させる。
また、分岐部８２がジェットノズル４０の位置から所定距離上流側に配置されているために、洗浄水が分岐部８２で分岐されることによる流れの乱れの影響を抑制し、ジェットノズル４０近傍における洗浄水の流れがほぼ一定の流量を有する流れに整えられる。
【００７８】
補給水流路部８４に供給された洗浄水は、図１７において矢印Ｂ４に示すように、補給水吐水部８８の縦管路８８ｂから吐水される。このとき、図３に示すように、補給水流路７６が補給水有りモードに設定されている場合には、補給水吐水部８８の縦管路８８ｂがオーバーフロー管８０の真上に位置されており、洗浄水が、オーバーフロー管８０内に向けられて吐水され、オーバーフロー管８０内を流下する洗浄水が便器本体２に補給水として供給される。
一方で、図１９に示すように、施工者、製造者等の切替えにより、補給水流路７６が補給水無しモードに設定されている場合には、補給水吐水部８８の縦管路８８ｂがオーバーフロー管８０の真上より外側に位置された状態となっており、洗浄水が、オーバーフロー管８０外に向けられて吐水され、洗浄水がオーバーフロー管８０外の貯水タンク２６内に向けて供給される。この場合には、補給水吐水部８８から吐水される洗浄水は、貯水タンク２６内に補給される。補給水無しモードの場合にも、補給水吐水部８８から吐水される洗浄水は流量が継続してほぼ一定であり、ジェットノズルから噴出される洗浄水の流量もほぼ一定とすることができる。
後述するように給水弁装置３０が止水状態となり、ジェットノズル４０から給水が終了すると、補給水流路部８４への洗浄水の供給、及び補給水吐水部８８の吐水も終了される。
【００７９】
大洗浄が行われているとき、貯水タンク２６内に貯水された洗浄水は、ジェットノズル４０及びスロート管３８の吸引口３８ｃに向かう流れを形成している。
図３、図４及び図６等に示すように、大洗浄が開始されると、貯水タンク２６内の給水弁装置３０側の領域（左側領域）における洗浄水は、主に、矢印Ｆ７に示すように、外側空間領域Ｒ１から下方領域ＬＲ２に流下し、スロート管３８の下降管部３８ｂ及びその他の障害物等によって流れの抵抗を受けることなく、下部流水路１２８を、矢印Ｆ８に示すように、スロート管３８の吸引口３８ｃに向かって円滑に流れることができる。
また、貯水タンク２６内の左右方向中央領域における洗浄水は、主に、矢印Ｆ９に示すように、外側空間領域Ｒ１から下方領域ＬＲ２に流下し、スロート管３８の下降管部３８ｂ及びその他の障害物等によって流れの抵抗を受けることなく、下部流水路１２８を円滑に流れて、スロート管３８の吸引口３８ｃに向かって流れることができる。
開口部１１８ｂから流出する洗浄水は、主に、矢印Ｆ１０に示すように、外側空間領域Ｒ１から下方領域ＬＲ２に流下し、スロート管３８の下降管部３８ｂ及びその他の障害物等によって流れの抵抗を受けることなく、下部流水路１２８を円滑に流れて、スロート管３８の吸引口３８ｃに向かって流れることができる。
【００８０】
下部流水路１２８の下流側の拡大流路部１２８ａにおいては、流路が拡大されているため、洗浄水がより自由にスロート管３８の吸引口３８ｃに向かって流れることができ、さらに、周囲の他の領域から吸引口３８ｃに向かって流入する洗浄水の流れを妨げることも抑制でき、洗浄水を円滑に吸引口３８ｃに導くことができる。
【００８１】
このように、スロート管３８の吸引口３８ｃ側に存在する洗浄水のみならず、給水弁装置３０側の領域に存在する洗浄水も、下部流水路１２８を介して円滑に吸引口３８ｃに導かれるので、貯水タンク２６内のスロート管３８の吸引口３８ｃ側の領域の水面の高さと、給水弁装置３０側の領域の水面の高さとが、ほぼ一定にでき、左右方向の水位差を生じることが抑制される。（図４において本実施形態の下部流水路１２８を形成している場合における洗浄時の水位降下中における水面がほぼ水平である状態を仮想線Ｃ１により例示している）
【００８２】
大洗浄が継続されると、貯水タンク２６内の水位ＷＬがさらに低下し、給水弁装置３０の給水フロート６０が下降する。給水フロート６０の下降が開始されると直ぐに第二パイロット弁６２が作動し、これにより、第二穴５６が開く。このとき、第一穴５４は閉鎖状態であるが、第二穴５６は、後述するように給水フロート６０が再び上昇する状態まで、開状態が保持される。
【００８３】
第二穴５６が開くと、第一穴５４の開閉状態に関係なく、給水弁装置３０における給水状態が継続することになる。第二穴５６が開くと、給水弁装置３０における給水状態が継続し、貯水タンク２６内の水位ＷＬが、大小洗浄切替機構１１４の区画壁１１６の開口部１１８ｂの下端の水位ＷＬ１まで低下する。このとき、フロート６８も水位の低下に連動して水位ＷＬ１の位置まで下降する。
【００８４】
図１３（ａ）及び図１３（ｂ）に示すように、貯水タンク２６内の洗浄水の水位が低下するにつれ、フロート６８は、水位とともに下降される。フロート６８は、フロート６８の取付けられた螺子部材１１２及び第一継手１０２とともに下降を開始する。このとき、フロート６８及び第一継手１０２は、仮想直線Ａ１乃至Ａ４により形成される仮想的な平行四辺形の関係を保つように、徐々にほぼ下向きに移動を開始する。フロート６８が、従来のように第一回動軸１００を中心として大きく円弧を描くように移動されないように設けられているので、フロート６８自身の可動領域（移動範囲）が比較的小さくされている。
仮想直線Ａ３及びＡ４が平行な関係を維持したまま第一継手１０２及びフロート６８が徐々に下降できるので、フロート６８がほぼ一定の姿勢を維持したまま下降でき、すなわち、フロート６８の上面６８ａがほぼ水平を保ったままフロート６８が下降でき、また、フロート６８の側面６８ｂがほぼ垂直を保ったままフロート６８が下降できるようになっている。
このように、フロート６８がほぼ下向きの方向に移動されることにより、回動アーム９８の継手アーム９８ｄが下向きに移動され、回動アーム９８が回転され、反対側の切替弁９６が上昇される。従って、切替弁９６の湾曲部９６ａのノズル側端部９６ｃがジェットノズル４０の正面を横切るように上昇される。
このとき、ジェットノズル４０から噴射される洗浄水は、その一部が、矢印Ｆ３に示すように、スロート管３８内の流路に向かって流れ、その他の部分が、矢印Ｆ４に示すように、切替弁９６の湾曲部９６ａに沿って流出部９６ｂに向かって流れ、第１内側側面２６ｃの衝突領域Ｄ１に向かって流出する。また、ジェットノズル４０からＦ３の流れが噴射されることにより、貯水タンク２６内に貯水された周囲の洗浄水が、矢印Ｆ５に示すように、スロート管３８内に吸引されて流れている。
【００８５】
さらに、貯水タンク２６内の洗浄水の水位がＷＬ１の水位まで低下した状態となると、図１３（ｃ）に示すように、フロート６８は、水位とともにさらに下降され、切替弁９６が待機状態から作動状態に変化される。切替弁９６が作動状態となるとき、フロート６８は、フロート６８の取付けられた螺子部材１１２及び第一継手１０２とともに下降された状態となっている。仮想直線Ａ１乃至Ａ４により形成される仮想的な平行四辺形において、仮想直線Ａ３の辺が仮想直線Ａ４の辺に対してほぼ同じ高さ位置まで下降された状態となっている。
フロート６８が下降された下降状態にあるとき、第一継手１０２が引き下げられ、回動アーム９８の継手アーム９８ｄが引き下げられるので、回動アーム９８は第一回動軸１００を中心としてフロート側が下降するように回転され、反対側の切替弁９６が上昇されている。切替弁９６の湾曲部９６ａのノズル側端部９６ｃがジェットノズル４０の正面を横切った後、ジェットノズル端部４０ａとほぼ合致するように移動され、ジェットノズル４０から噴射される洗浄水は、矢印Ｆ６に示すように、ほぼ全部が湾曲部９６ａから屈曲して流出部９６ｂの方向に流出され、第１内側側面２６ｃの衝突領域Ｄ１に向かって流出される。
【００８６】
スロート管３８の流路が切替弁９６に遮られると、図１３（ｃ）に示すように、ジェットノズル４０から噴射される洗浄水は、切替弁９６に衝突して、スロート管３８内を流れることなく、切替弁９６から跳ねかえされる。すなわち、切替弁９６によってジェットノズル４０から噴射される洗浄水の進行方向がスロート管３８の内部方向からスロート管３８の外部方向へと切り替えられる。このようにして、ジェットノズル４０から噴射される洗浄水は、切替弁９６により、約９０度曲がって貯水タンク２６内に向かって流れ、より具体的には、第１内側側面２６ｃに向かって流れ、貯水タンク２６内に貯水される。このとき、貯水タンク２６内の水位は上昇するが、切替弁９６が洗浄水の勢いにより移動できないので、フロート６８も上昇することなく、その位置に保持される。また、給水弁装置３０のフロート６８は、水位の上昇に連動して上昇するが、第二穴５６は開状態のままであり、それにより給水弁装置３０による給水状態が継続されることになる。
【００８７】
給水状態が継続されている間、図２３に示すように、ジェットノズル４０から噴射される洗浄水は、切替弁９６により、矢印Ｆ６に示すように、第１内側側面２６ｃの衝突領域Ｄ１に向かって流れる。洗浄水の水流の流速が比較的高いことから、第１内側側面２６ｃの衝突領域Ｄ１に衝突した水流が、第１内側側面２６ｃから放射状に広がるように流れる。
【００８８】
図２２及び図２３においては、本発明の一実施形態による水洗大便器装置による抵抗手段が設けられている場合と、従来の水洗大便器装置において抵抗手段が設けられていない場合との洗浄水の流れの比較が図示されている。
従来においては、本発明とは異なり、図２３に破線矢印ｆ１により示すように、底面にリブが設けられておらず、洗浄水の水流の流速が比較的高いことから、第１内側側面２６ｃの衝突領域Ｄ１に衝突した水流が、破線矢印ｆ１により示すように、第１内側側面２６ｃから放射状に広がり、周囲の第１内側底面２６ａ、第３内側側面２６ｅ等の貯水タンク２６の内面に沿って流れる破線で示すような流れを形成しやすくなっていた。よって、このｆ１の流れが、壁面に沿ってまとまった流れとなり、下方から水面に上昇する流れを形成し、貯水タンク２６内に貯水された洗浄水の水面を大きく上下に変動させてしまうという問題が生じ、洗浄水の水面が大きく上下に変動することにより、給水弁装置３０の給水フロート６０が満水水位ＷＬ３を正確に検知できないという不具合が生じていた。図２３においては、このような従来の水面が上下に変動している状態を破線ｓ１により示している。
また、従来においては、本発明とは異なり、図２２に破線矢印ｆ２により示すように、側面等にリブが設けられておらず、洗浄水の水流の流速が比較的高いことから、第１内側側面２６ｃの衝突領域Ｄ１に衝突した水流が、第１内側側面２６ｃから放射状に広がり、周囲の第２内側側面２６ｄ、第３内側側面２６ｅ等の貯水タンク２６の内面に沿って流れる破線で示すような流れｆ２を形成しやすくなっていた。よってこのｆ２の流れが、壁面に沿ってまとまった流れとなり、水面に上昇して、貯水タンク２６内に貯水された洗浄水の水面を大きく上下に変動させてしまうという課題が生じ、洗浄水の水面が大きく上下に変動することにより、給水弁装置３０の給水フロート６０が水位を正確に検知できないという不具合が生じていた。図２３においては、このような従来の水面が上下に変動している状態を破線ｓ１により示している。
【００８９】
これに対し、本発明においては、図２１及び図２３に示すように、抵抗手段１３０により貯水タンク２６の内面に沿って流れる主な流れの流速を落とし及び/又は流れを分散させて、貯水タンク２６内に貯水された洗浄水の水面の変動を抑制させている。図２３において、本発明における水面の上下の変動が抑制されている状態を実線ｓ２により示している。
第１内側側面２６ｃの衝突領域Ｄ１に衝突した水流Ｆ１１のうち、主に、下方に流れる水流Ｆ１２は、第１内側側面２６ｃから第１内側底面２６ａに沿って流れ、第１底面リブ１３０ｃ及び/又は第２底面リブ１３０ｄにおいて流速が減少され及び/又は流れの向きが底面から内方向きに変化させられる。例えば、洗浄水が第１底面リブ１３０ｃに当たる場合、第１内側底面２６ａに沿った流れが第１底面リブ１３０ｃの抵抗を受け、又は、第１底面リブ１３０ｃに沿って第１内側底面２６ａから離間する向きに方向が転換される（Ｆ１２の流れ参照）。従って、流れの流速が低減され且つ流れが分散され、壁面に沿って流れる流れが抑制されて、貯水タンク２６内の水面の波打ちのような変動が抑制される。
また、図２１及び図２２に示すように、第１内側側面２６ｃの衝突領域Ｄ１に衝突した水流Ｆ１１のうち、便器前後方向（衝突領域Ｄ１に対して左右横方向）に流れる向きを有する水流Ｆ１３、Ｆ１４は、第１内側側面２６ｃ及び/又は第２内側側面２６ｄに沿って流れ、第１側面リブ１３０ｆ及び/又は第２側面リブ１３０ｇにおいて流速が減少され及び/又は流れの向きが側面から内方向きに変化させられる（Ｆ１３及びＦ１４の流れ参照）。従って、流れの流速が低減され且つ流れが分散され、壁面に沿って流れる流れが抑制されて、貯水タンク２６内の水面の波打ちのような変動が抑制される。
また、ジェットノズル４０が、第１内側側面２６ｃ、第２内側側面２６ｄ及び第３内側側面２６ｅ等によって形成される比較的狭い領域によって囲まれている場合にも、第１内側側面２６ｃの衝突領域Ｄ１に衝突した水流が壁面に沿って流速が速く且つまとまった水流を形成することを抑制することができる。
【００９０】
また、図２２に示すように、第１内側側面２６ｃに対し、切替弁９６により導かれる洗浄水の主流が斜めの向きで入射して衝突する場合に、第１内側側面２６ｃの衝突領域Ｄ１に衝突した水流Ｆ１１は、斜めの向きで衝突した洗浄水が主に向かう主たる水流Ｆ１４と、この水流と逆向きに向かう従たる水流Ｆ１３とに分かれる（これらの水流Ｆ１４及びＦ１３は、衝突領域Ｄ１に入射する流れの鈍角側方向と鋭角側方向によって分けられ、下方向への流れも含んでいる）。
ここで、衝突領域Ｄ１に対し、第１側面リブ１３０ｆが比較的近い位置に配置され、第１内側側面２６ｃと、第１底面リブ１３０ｃと、第２底面リブ１３０ｄとが第一領域Ｄ３を形成するように比較的近い位置に配置され、流速が依然として比較的大きく且つ流れが分散される前の状態の主たる水流Ｆ１４に対して、壁面に沿った流速を低減させる能力を増加させている。第一領域Ｄ３においては、第二領域Ｄ４と比べ衝突領域Ｄ１からより近くに第１内側側面２６ｃと、第１底面リブ１３０ｃと、第２底面リブ１３０ｄとが位置しているため、衝突後に依然として収束している流れに対する抵抗効果が比較的大きくなっている。
また、衝突領域Ｄ１に対し、第２側面リブ１３０ｇが第１側面リブ１３０ｆよりも遠い位置に配置され、第１内側側面２６ｃと、第２内側側面２６ｄと、第２底面リブ１３０ｄとが第一領域Ｄ３よりも大きい第二領域Ｄ４を形成するように比較的遠い位置に配置されているので、従たる水流Ｆ１３に対しては、第一領域Ｄ３によるリブの流速を低減させる能力よりは、壁面に沿った流速を低減させる能力が抑えられている。第二領域Ｄ４においては、第一領域Ｄ３と比べ衝突領域Ｄ１からより遠くに第２内側側面２６ｄと、第２底面リブ１３０ｄとが位置しているため、収束していた流れが比較的分散した状態となり、この状態の流れに対する抵抗効果が比較的小さくなっている。
従って、衝突領域Ｄ１に衝突して左右に広がる水流Ｆ１４及びＦ１３を、衝突領域Ｄ１を中央として、広がる方向による流速の偏りを抑制させ、均等な流速で分散するように広がる流れとすることができる。
【００９１】
第２底面リブ１３０ｄと第２側面リブ１３０ｇとの間に隙間１３０ｅが形成されているので、第２底面リブ１３０ｄに沿った水流が、矢印Ｆ１５に示すように、隙間１３０ｅから第二領域Ｄ４の外側に流出することができる。よって、第２底面リブ１３０ｄに沿った水流が、第２内側側面２６ｄ上の第２側面リブ１３０ｇまで到達し、Ｆ１３の流れと衝突して、第２側面リブ１３０ｇに沿って上昇する比較的強い流れを形成することを防ぐことができる。
【００９２】
つぎに、給水状態が継続され、貯水タンク２６の水位が上昇し水位ＷＬ３に達すると、給水フロート６０も水位ＷＬ３まで上昇し、これにより、給水弁装置３０において、第二パイロット弁６２が作動し、第二穴５６が閉じられる。
【００９３】
つぎに、給水弁装置３０において、第一穴５４及び第二穴５６が閉じられると、上述したように、圧力室５２の圧力が一次側流路圧力αとなり、主弁体４８が主弁座５０に向けて移動し、最終的に閉弁された状態（止水状態）となる。給水弁装置３０が止水状態となり、給水が終了し、大洗浄が終了する。
【００９４】
図４、図７〜図２３により、本実施形態による水洗大便器装置１による小洗浄時の動作を説明する。小洗浄時の動作は、上述した大洗浄時の動作と異なる部分を中心に説明する。まず、図４は、小洗浄開始前の洗浄水タンク装置４を示している。この状態において、給水弁装置３０は、止水状態となっている。
【００９５】
つぎに、使用者が手動レバー３４を他方向に手動操作し、小洗浄が開始されたとき、手動レバー３４に接続された駆動軸１２４が回転し、給水弁装置３０の第一パイロット弁５８が作動して、第一穴５４が開く。このとき、第二穴５６は閉じられたままの状態である。なお、小洗浄の方向に駆動軸１２４が回転することにより、鎖１２２が巻き上げられ、区画壁１１６内外の差圧によって大小切替弁１２０が小タンク１１８の開口部１１８ｂを閉じた状態となり、大小洗浄切替機構１１４は小洗浄状態となる。
【００９６】
第一穴５４が開くと、給水弁装置３０の主弁体４８が主弁座５０から離間して給水する給水状態となる。このとき、貯水タンク２６内に貯水された洗浄水もスロート管３８内に吸引されるので、洗浄水タンク装置４により外部から供給される洗浄水と貯水タンク２６内の洗浄水が一緒になってスロート管３８内を流れ、便器本体２に供給され、ボウル部６の洗浄が開始される。
【００９７】
小洗浄時においても、図４、図７及び図１３（ａ）に示すように、給水弁装置３０からジェット流路７４への洗浄水の供給が開始された直後においては、貯水タンク２６内に洗浄水が未だ高い水位ＷＬ３近くまで貯水された状態であるので、フロート６８は、上昇された状態であり、切替弁９６は待機状態（切替弁９６が下降されジェットノズル４０の前方側を開放している状態）となっている。
【００９８】
小洗浄時においても、図３、図５及び図１６に示すように、給水弁装置３０からジェット流路７４への洗浄水の供給が開始されると、洗浄水が、矢印Ｂ１に示すように、ジェット流路７４からジェットノズル４０に向かって流れるとともに、矢印Ｂ２に示すように、ジェット流路７４の途中に設けられた分岐部８２から補給水流路部８４に流れる。すなわち、給水弁装置３０がジェットノズル４０に洗浄水を供給している間は、常時給水弁装置３０が補給水流路７６に洗浄水を供給することになる。なお、小洗浄時においては、便器本体２への洗浄水の供給量が比較的少なくなるので、給水弁装置３０がジェットノズル４０に洗浄水を供給する継続時間が、大洗浄時に比べて短くされている。
【００９９】
小洗浄時においても、図３に示すように、補給水流路７６が補給水有りモードに設定されている場合には、洗浄水が、オーバーフロー管８０内に向けられて吐水され、オーバーフロー管８０内を流下する洗浄水が便器本体２に補給水として供給される。
一方で、図１９に示すように、施工者、製造者等の切替えにより、補給水流路７６が補給水無しモードに設定されている場合には、洗浄水が、オーバーフロー管８０外に向けられて吐水され、洗浄水がオーバーフロー管８０外の貯水タンク２６内に向けて供給される。
後述するように給水弁装置３０が止水状態となり、ジェットノズル４０から給水が終了すると、補給水流路部８４への洗浄水の供給、及び補給水吐水部８８の吐水も終了される。
【０１００】
小洗浄が行われているとき、貯水タンク２６内に貯水された洗浄水は、ジェットノズル４０及びスロート管３８の吸引口３８ｃに向かう流れを形成している。
図３、図４及び図６等に示すように、小洗浄が開始されると、大洗浄時と同様に、貯水タンク２６内の給水弁装置３０側の領域（左側領域）における洗浄水は、主に、矢印Ｆ７に示すように、外側空間領域Ｒ１から下方領域ＬＲ２に流下し、下部流水路１２８を、矢印Ｆ８に示すように、スロート管３８の吸引口３８ｃに向かって円滑に流れることができる。
ここで、小洗浄においては、大小洗浄切替機構１１４の大小切替弁１２０は、開口部１１８ｂを閉じた閉状態とされており、小タンク１１８内の洗浄水は排出されずに貯水された状態を維持している。小タンク１１８の外側の外側空間領域Ｒ１からのみ洗浄水が排出されるので、小空間領域Ｒ２の分の洗浄水量を排出せず、すなわちこの量を低減した洗浄を行うこととなる。
外側空間領域Ｒ１からスロート管３８に流入する洗浄水については、大洗浄時と同様に、矢印Ｆ９及び矢印Ｆ１０に示すように、外側空間領域Ｒ１から下方領域ＬＲ２に流下し、スロート管３８の下降管部３８ｂ及びその他の障害物等によって流れの抵抗を受けることなく、下部流水路１２８を円滑に流れて、スロート管３８の吸引口３８ｃに向かって流れることができる。
【０１０１】
小洗浄が継続されると、貯水タンク２６内の外側空間領域Ｒ１内の水位ＷＬが低下する。これにより、給水弁装置３０の給水フロート６０も下降する。給水フロート６０の下降が開始されると直ぐに第二パイロット弁６２が作動し、これにより、第二穴５６が開く。このとき、第一穴５４は閉鎖状態であるが、第二穴５６は、給水フロート６０が再び上昇する状態まで、開状態が保持される。
【０１０２】
第二穴５６が開くと、第一穴５４の開閉状態に関係なく、給水弁装置３０における給水状態が継続する。このため、手動レバー３４の操作時間とは無関係に確実に小洗浄を実行することができる。
【０１０３】
第二穴５６が開くと、給水弁装置３０における給水状態が継続し、貯水タンク２６内の水位ＷＬが、止水水位ＷＬ３から低下する。このとき、大小切替弁１２０が小タンク１１８の開口部１１８ｂを閉じた状態が維持されているため、小タンク１１８内の水位は、止水水位ＷＬ３よりもわずかに低い水位ＷＬ２が維持される。
また、図４に示すように、貯水タンク２６内の外側空間領域Ｒ１内の水位は、ジェットノズル４０付近の水位ＷＬ１（死水水位ＤＷＬ）まで低下し、フロート６８も水位の低下に連動して水位ＷＬ１の位置まで下降する。
【０１０４】
小洗浄時においても、図１３（ａ）及び図１３（ｂ）に示すように、貯水タンク２６内の洗浄水の水位が低下するにつれ、フロート６８は、水位とともに下降される。切替手段６６、フロート６８及び連結手段７０は、水位の下降及び上昇に伴い、大洗浄時と同様の動作を行うので詳細な説明を省略する。
【０１０５】
スロート管３８の流路が切替弁９６に遮られると、図１３（ｃ）に示すように、ジェットノズル４０から噴射される洗浄水は、切替弁９６に衝突して、スロート管３８内を流れることなく、切替弁９６から跳ねかえされる。すなわち、切替弁９６によってジェットノズル４０から噴射される洗浄水の進行方向がスロート管３８の内部方向からスロート管３８の外部方向へと切り替えられる。このとき、貯水タンク２６内の水位は上昇する。
【０１０６】
給水状態が継続されている間、図２３に示すように、ジェットノズル４０から噴射される洗浄水は、切替弁９６により、矢印Ｆ６に示すように、第１内側側面２６ｃの衝突領域Ｄ１に向かって流れる。小洗浄時においても、大洗浄時と同様に、第１内側側面２６ｃの衝突領域Ｄ１に衝突した水流が、第１内側側面２６ｃから放射状に広がるように流れ、抵抗手段１３０に到達する。本発明においては、図２１及び図２３に示すように、小洗浄時においても、大洗浄時と同様に、抵抗手段１３０により貯水タンク２６の内面に沿って流れる主な流れの流速を落とし及び/又は流れを分散させて、貯水タンク２６内に貯水された洗浄水の水面の変動を抑制させている。これらの流れについても大洗浄時と同様な流れとなるので詳細な説明を省略する。
【０１０７】
さらに、給水状態が継続され、貯水タンク２６の水位が上昇し水位ＷＬ３に達すると、給水フロート６０も水位ＷＬ３まで上昇し、これにより、給水弁装置３０において、第二パイロット弁６２が作動し、第二穴５６が閉じられる。
【０１０８】
つぎに、給水弁装置３０において、第一穴５４及び第二穴５６が閉じられると、上述したように、圧力室５２の圧力が一次側流路圧力αとなり、主弁体４８が主弁座５０に向けて移動し、最終的に閉弁された状態（止水状態）となる。給水弁装置３０が止水状態となり、給水が終了し、小洗浄が終了する。
【０１０９】
上述した本発明の一実施形態による水洗大便器装置１によれば、ジェットノズル４０から噴射され切替弁によりスロート管３８の外部方向へ向きを変えられた流速の大きい洗浄水でタンク給水をおこなう場合に、抵抗手段１３０が貯水タンク２６内面に沿って流れる流速を低減するので、貯水される洗浄水の水面の変動を抑制することができる。よって、満水水位ＷＬ３まで給水するタンク給水の量を安定させることができ、さらに、洗浄水が貯水タンク２６外へ飛び出すことを防ぐことができる。
【０１１０】
また、本実施形態による水洗大便器装置１によれば、ジェットノズル４０から噴射された流速の大きい洗浄水でタンク給水をおこなう場合に、抵抗手段１３０が、主流が上記貯水タンク２６の内面に衝突する衝突領域Ｄ１の下流側近傍において、タンク内面に沿って広がる洗浄水の流速を比較的早いタイミングで低減することができ、水面に向かって上昇する洗浄水の勢いを弱くすることができる。
【０１１１】
さらに、本実施形態による水洗大便器装置１によれば、底面リブ部１３０ａが貯水タンク２６の底面に沿って流れる洗浄水の流速を低減することができる。
【０１１２】
また、本実施形態による水洗大便器装置１によれば、側面リブ部１３０ｂが貯水タンク２６の内側側面に沿って流れる洗浄水の流速を低減することができる。
【０１１３】
さらに、本実施形態による水洗大便器装置１によれば、貯水タンク２６の第１内側側面２６ｃと底面リブ部１３０ａとが、貯水タンク２６の底面に沿って放射状に広がろうとする流れの流速を全体的に低減することができる。
【０１１４】
また、本実施形態による水洗大便器装置１によれば、貯水タンク２６の第１内側側面２６ｃに対し、洗浄水の主流が斜めに衝突する場合において、第一領域Ｄ３において、第二領域Ｄ４と比べ衝突領域Ｄ１から比較的近くに貯水タンク２６の第１内側側面２６ｃと、第１底面リブ１３０ｃと第２底面リブ１３０ｄとが位置しているため、貯水タンク２６の底面に沿って流れる洗浄水の流速が比較的大きく低減され、また、第二領域Ｄ４において、第一領域Ｄ３と比べ衝突領域Ｄ１から比較的遠くに貯水タンク２６の第２内側側面２６ｄと、第２底面リブ１３０ｄとが位置しているため、貯水タンク２６の底面に沿って流れる洗浄水の流速が第一領域Ｄ３におけるよりも小さく低減される。従って、衝突領域Ｄ１を中央として貯水タンク２６の底面に沿って広がろうとする流れの流速を全体的に均等になるように低減することができる。
【０１１５】
さらに、本実施形態による水洗大便器装置１によれば、底面リブ部１３０ａに沿って流れる流れと、側面リブ部１３０ｂに沿って流れる流れとが衝突することを抑制することができ、さらに、底面リブ部１３０ａに沿って流れる流れと、側面リブ部１３０ｂに沿って流れる流れとが合流して流れの勢いの強い上昇流を形成することを抑制することができる。
【符号の説明】
【０１１６】
１            水洗大便器装置
２            便器本体
４            洗浄水タンク装置
６            ボウル部
８            リム部
１０          棚部
１２          トラップ排水路
１２ａ        入口
１２ｃ        下降管
１２ｂ        上昇管
１４          排水口
１６          導水路
１８          リム吐水口
２０          リム吐水口
２２          第１通水路
２４          第２通水路
２６          貯水タンク
２６ａ        第１内側底面
２６ｂ        第２内側底面
２６ｃ        第１内側側面
２６ｄ        第２内側側面
２６ｅ        第３内側側面
２８          給水管路
３０          給水弁装置
３２          ジェットポンプユニット
３４          手動レバー
３６          止水栓
３８          スロート管
３８ａ        上昇管部
３８ｂ        下降管部
３８ｃ        吸引口
４０          ジェットノズル
４０ａ        ジェットノズル端部
４２          定流量弁
４４          真空破壊弁
４８          主弁体
５０          主弁座
５２          圧力室
５４          第一穴
５６          第二穴
５８          第一パイロット弁
６０          給水フロート
６２          第二パイロット弁
６４          駆動軸
６６          切替機構
６８          フロート
６８ａ        上面
６８ｂ        側面
７０          連結機構
７０ａ        第一継手
７２          調整機構
７４          ジェット流路
７４ａ        水平領域
７６          補給水流路機構
７８          鎖
８０          オーバーフロー管
８０ａ        上端開口部
８０ｂ        流出口
８２          分岐部
８２ａ        横流路
８２ｂ        縦流路
８４          補給水流路
８６          吐水位置切替機構
８８          補給水吐水部
８８ａ        横管路
８８ｂ        縦管路
９０          回転軸部
９０ａ        軸部
９０ｂ        第１凸部
９０ｃ        第２凸部
９０ｄ        第１止め部
９０ｅ        第２止め部
９２          支持部
９２ａ        支持部開口部
９２ｂ        第１側面
９２ｃ        第２側面
９２ｄ        第３側面
９２ｅ        側面開口
９２ｆ        第２側面凹部
９２ｇ        第２側面係合部
９２ｈ        第３側面凹部
９２ｉ        第３側面係合部
９４          ロック部材
９４ａ        突出凹部
９４ｂ        第１腕部
９４ｃ        第２腕部
９４ｄ        溝部
９４ｅ        第１隆起部
９４ｆ        第２つめ部
９４ｇ        第２隆起部
９４ｈ        第１つめ部
９６          切替弁
９６ａ        湾曲部
９６ｂ        流出部
９６ｃ        ノズル側端部
９８          回動アーム
９８ａ        第１回動アーム
９８ｂ        第２回動アーム
９８ｃ        支持アーム
９８ｄ        継手アーム
９８ｅ        ストッパー部
１００        第一回動軸
１０２        第一継手
１０４        第二継手
１０５        第二回動軸
１０６        リンク機構
１０８        第三回動軸
１１０        第四回転軸
１１０        第四回動軸
１１２        螺子部材
１１４        大小洗浄切替機構
１１６        区画壁
１１８        小タンク
１１８ａ      区画壁
１１８ｂ      開口部
１１８ｃ      内側底面
１１８ｄ      外側底面
１１８ｅ      給水弁装置側端部
１１８ｆ      段部
１１８ｇ      第１外側底面
１１８ｈ      吸引口側端部
１１８ｉ      第２外側底面
１２０        大小切替弁
１２２        鎖
１２４        駆動軸
１２６        支えリブ
１２８        下部流水路
１２８ａ      拡大流路部
１３０        抵抗手段
１３０ａ      底面リブ部
１３０ｂ      側面リブ部
１３０ｃ      第１底面リブ
１３０ｄ      第２底面リブ
１３０ｅ      隙間
１３０ｆ      第１側面リブ
１３０ｇ      第２側面リブ
Ａ            一次側流路
Ｂ            二次側流路
α            一次側流路圧力
Ａ１          仮想直線
Ａ２          仮想直線
Ａ３          仮想直線
Ａ４          仮想直線
Ｂ１          矢印
Ｂ２          矢印
Ｂ３          矢印
Ｂ４          矢印
Ｃ１          仮想線
Ｃ２          仮想線
ｈ１          水位差
Ｄ１          衝突領域
Ｄ２          囲み領域
Ｄ３          第一領域
Ｄ４          第二領域
Ｆ１          矢印
Ｆ２          矢印
Ｆ３          矢印
Ｆ４          矢印
Ｆ５          矢印
Ｆ６          矢印
Ｆ７          矢印
Ｆ８          矢印
Ｆ９          矢印
Ｆ１０        矢印
Ｆ１１        矢印
Ｆ１１        矢印
Ｆ１２        矢印
Ｆ１３        矢印
Ｆ１４        矢印
Ｆ１５        矢印
ｆ１          破線矢印
ｆ２          破線矢印
Ｒ１          外側空間領域
Ｒ２          小空間領域
ＬＲ２        下方領域
ｓ１          破線
ｓ２          実線
ＷＬ          水位
ＤＷＬ        死水水位
ＷＬ１        死水水位
ＷＬ２        水位
ＷＬ３        止水水位（満水水位）
【図１】
2015227551.tif 000003
【図２】
2015227551.tif 000004
【図３】
2015227551.tif 000005
【図４】
2015227551.tif 000006
【図５】
2015227551.tif 000007
【図６】
2015227551.tif 000008
【図７】
2015227551.tif 000009
【図８】
2015227551.tif 000010
【図９】
2015227551.tif 000011
【図１０】
2015227551.tif 000012
【図１１】
2015227551.tif 000013
【図１２】
2015227551.tif 000014
【図１３】
2015227551.tif 000015
【図１４】
2015227551.tif 000016
【図１５】
2015227551.tif 000017
【図１６】
2015227551.tif 000018
【図１７】
2015227551.tif 000019
【図１８】
2015227551.tif 000020
【図１９】
2015227551.tif 000021
【図２０】
2015227551.tif 000022
【図２１】
2015227551.tif 000023
【図２２】
2015227551.tif 000024
【図２３】
2015227551.tif 000025